(57)【要約】  2つの基準信号間の(たとえば、チャネル状態情報基準信号(CSI-RS)と物理ダウンリンク制御チャネル(PDCCH)の復調基準信号(DMRS)との間の)送信電力比のダイナミックレンジに基づくビーム障害判定をサポートするワイヤレス通信のための方法、システム、およびデバイスについて説明する。ワイヤレスデバイスは、基地局によって使用されることがある送信電力比のダイナミックレンジを(たとえば、基地局から送られる最大および最小送信電力比の指示、何らかの平均送信電力比からの1つまたは複数のオフセットの指示などを介して)特定してもよい。ワイヤレスデバイスは、特定された送信電力比のダイナミックレンジをCSI-RS測定値とともに使用して仮説PDCCHブロック誤り率(BLER)の範囲を決定してもよい。仮説BLERの範囲内の値をしきい値と比較してビーム障害ステータス(たとえば、ビーム障害)を判定してもよい。
2021503760.tif 000002
【特許請求の範囲】
【請求項１】
ワイヤレス通信のための方法であって、
基地局から受信されたダウンリンク制御チャネルの第1の基準信号と第2の基準信号との間の送信電力比のダイナミックレンジを特定するステップと、
前記送信電力比の前記ダイナミックレンジに少なくとも部分的に基づいてビーム障害ステータスを判定するステップと、
前記ビーム障害ステータスに従って前記基地局と通信するステップとを含む方法。
【請求項２】
前記第1の基準信号は、チャネル状態情報基準信号(CSI-RS)であり、前記第2の基準信号は、物理ダウンリンク制御チャネル(PDCCH)の復調基準信号(DMRS)である、請求項1に記載の方法。
【請求項３】
前記送信電力比の前記ダイナミックレンジを特定する前記ステップは、
前記基地局から前記送信電力比の前記ダイナミックレンジの指示を受信するステップを含む、請求項2に記載の方法。
【請求項４】
前記指示は、前記送信電力比の前記ダイナミックレンジに関連する最大値と、前記送信電力比の前記ダイナミックレンジに関連する最小値とを含む、請求項3に記載の方法。
【請求項５】
前記指示は、前記送信電力比の前記ダイナミックレンジに関連する最大正オフセットと、前記送信電力比の前記ダイナミックレンジに関連する最大負オフセットとを含む、請求項3に記載の方法。
【請求項６】
前記指示は、前記送信電力比の前記ダイナミックレンジに関連する最大正オフセットと、前記送信電力比の前記ダイナミックレンジに関連する最大負オフセットの両方を表すオフセット値を含む、請求項3に記載の方法。
【請求項７】
最大正オフセット、最大負オフセット、および平均送信電力比に少なくとも部分的に基づいて前記送信電力比の前記ダイナミックレンジを決定するステップをさらに含む、請求項3に記載の方法。
【請求項８】
前記指示は、無線リソース制御(RRC)、媒体アクセス制御(MAC)制御要素(MAC CE)、またはダウンリンク制御情報(DCI)のうちの少なくとも1つを介して受信される、請求項3に記載の方法。
【請求項９】
前記送信電力比の前記ダイナミックレンジを特定する前記ステップは、
前記CSI-RSの設定の指示を受信するステップと、
前記CSI-RSの前記設定の前記指示に少なくとも部分的に基づいて前記送信電力比の前記ダイナミックレンジを決定するステップとを含む、請求項2に記載の方法。
【請求項１０】
前記設定は、擬似コロケーション(QCL)情報、前記CSI-RSに関する測定量、前記CSI-RSに関連するCSIレポート設定のうちの少なくとも1つを含む、請求項9に記載の方法。
【請求項１１】
前記CSI-RSの前記設定の前記指示は、無線リソース制御(RRC)シグナリングを介して受信される、請求項9に記載の方法。
【請求項１２】
前記送信電力比の前記ダイナミックレンジを特定する前記ステップは、
前記CSI-RSの前記設定に少なくとも部分的に基づいて、前記送信電力比の前記ダイナミックレンジに関連する最大値、および前記送信電力比の前記ダイナミックレンジに関連する最小値を特定するステップをさらに含む、請求項9に記載の方法。
【請求項１３】
前記送信電力比の前記ダイナミックレンジを特定する前記ステップは、
前記CSI-RSの前記設定に少なくとも部分的に基づいて前記ダイナミックレンジに関連するオフセットを特定するステップをさらに含む、請求項9に記載の方法。
【請求項１４】
前記送信電力比の前記ダイナミックレンジを特定する前記ステップは、
前記CSI-RSの前記設定に少なくとも部分的に基づいて前記ダイナミックレンジに関連する最大正オフセットおよび最大負オフセットを特定するステップをさらに含む、請求項9に記載の方法。
【請求項１５】
前記送信電力比の前記ダイナミックレンジを特定する前記ステップは、
前記CSI-RSの前記設定に少なくとも部分的に基づいて最大CSI-RS対DMRS電力比および最小CSI-RS対DMRS電力比を特定するステップをさらに含む、請求項9に記載の方法。
【請求項１６】
前記送信電力比の前記ダイナミックレンジを特定する前記ステップは、
前記基地局から受信された前記CSI-RSと物理ダウンリンク共有チャネル(PDSCH)との間の電力比の指示を受信するステップと、
前記CSI-RSと前記PDSCHとの間の前記電力比に少なくとも部分的に基づいて前記送信電力比の前記ダイナミックレンジを決定するステップとを含む、請求項2に記載の方法。
【請求項１７】
前記判定されたビーム障害ステータスに少なくとも部分的に基づいて、ビーム障害が生じたと判定するステップと、
前記基地局にビーム障害レポートを送信するステップとをさらに含む、請求項2に記載の方法。
【請求項１８】
前記送信電力比の前記ダイナミックレンジは、CSI-RSリソースごと、CSI-RSリソースセットごと、またはCSI-RSリソース設定ごとに特定される、請求項2に記載の方法。
【請求項１９】
前記ダイナミックレンジに少なくとも部分的に基づいて、仮説PDCCHブロック誤り率(BLER)上限および仮説PDCCH BLER下限を決定するステップと、
前記仮説PDCCH BLER上限、前記仮説PDCCH BLER下限、またはその両方に少なくとも部分的に基づいて前記ビーム障害ステータスを判定するステップとをさらに含む、請求項2に記載の方法。
【請求項２０】
CSI-RS測定を実行するステップと、
前記仮説PDCCH BLER上限、前記仮説PDCCH BLER下限、CSI-RS測定値、またはそれらの何らかの組合せに少なくとも部分的に基づいて前記ビーム障害ステータスを判定するステップとをさらに含む、請求項19に記載の方法。
【請求項２１】
ワイヤレス通信のための方法であって、
ユーザ機器(UE)へのダウンリンク制御チャネルの第1の基準信号と第2の基準信号との間の送信電力比のダイナミックレンジを特定するステップと、
前記UEによる前記送信電力比の前記ダイナミックレンジの特定を容易にする信号を前記UEに送信するステップと、
前記送信電力比の前記ダイナミックレンジに少なくとも部分的に基づいてビーム障害ステータスレポートを受信するステップと、
前記ビーム障害ステータスレポートに従って前記UEと通信するステップとを含む方法。
【請求項２２】
前記第1の基準信号は、チャネル状態情報基準信号(CSI-RS)であり、前記第2の基準信号は、物理ダウンリンク制御チャネル(PDCCH)の復調基準信号(DMRS)である、請求項21に記載の方法。
【請求項２３】
前記信号は、前記送信電力比の前記ダイナミックレンジの指示を含む、請求項22に記載の方法。
【請求項２４】
前記指示は、前記送信電力比の前記ダイナミックレンジに関連する最大値と、前記送信電力比の前記ダイナミックレンジに関連する最小値とを含む、請求項23に記載の方法。
【請求項２５】
前記指示は、前記送信電力比の前記ダイナミックレンジに関連する最大正オフセットと、前記送信電力比の前記ダイナミックレンジに関連する最大負オフセットとを含む、請求項23に記載の方法。
【請求項２６】
前記指示は、前記送信電力比の前記ダイナミックレンジに関連する最大正オフセットと、前記送信電力比の前記ダイナミックレンジに関連する最大負オフセットの両方を表すオフセット値を含む、請求項23に記載の方法。
【請求項２７】
前記送信電力比の前記ダイナミックレンジは、最大正オフセット、最大負オフセット、および平均送信電力比に少なくとも部分的に基づいて決定される、請求項23に記載の方法。
【請求項２８】
前記指示は、無線リソース制御(RRC)、媒体アクセス制御(MAC)制御要素(MAC CE)、またはダウンリンク制御情報(DCI)のうちの少なくとも1つを介して送信される、請求項23に記載の方法。
【請求項２９】
前記CSI-RSの設定の指示を送信するステップであって、前記設定が、前記送信電力比の前記ダイナミックレンジを指示する、ステップをさらに含む、請求項22に記載の方法。
【請求項３０】
前記設定は、擬似コロケーション(QCL)情報、前記CSI-RSに関する測定量、前記CSI-RSに関連するCSIレポート設定のうちの少なくとも1つを含む、請求項29に記載の方法。
【請求項３１】
前記CSI-RSの前記設定の前記指示は、無線リソース制御(RRC)シグナリングを介して受信される、請求項29に記載の方法。
【請求項３２】
前記設定の前記指示は、前記ダイナミックレンジに関連するオフセット、前記ダイナミックレンジに関連する最大正オフセット、前記ダイナミックレンジに関連する最大負オフセット、最大CSI-RS対DMRS電力比、および最小CSI-RS対DMRS電力比のうちの少なくとも1つを示す、請求項29に記載の方法。
【請求項３３】
前記CSI-RSと物理ダウンリンク共有チャネル(PDSCH)との間の電力比の指示を送信するステップであって、前記送信電力比の前記ダイナミックレンジが、前記CSI-RSと前記PDSCHとの間の前記電力比に少なくとも部分的に基づく、ステップをさらに含む、請求項22に記載の方法。
【請求項３４】
前記ビーム障害ステータスレポートが仮説PDCCHブロック誤り率(BLER)上限、仮説PDCCH BLER下限、またはその両方に基づくことを特定するステップであって、前記仮説PDCCH BLER上限および前記仮説PDCCH BLER下限が、前記送信電力比の前記ダイナミックレンジから導出される、ステップと、
前記受信されたビーム障害ステータスレポートに少なくとも部分的に基づいて、ビーム障害が生じたと判定するステップとをさらに含む、請求項22に記載の方法。
【請求項３５】
前記送信電力比の前記ダイナミックレンジは、CSI-RSリソースごと、CSI-RSリソースセットごと、またはCSI-RSリソース設定ごとに特定される、請求項22に記載の方法。
【請求項３６】
ワイヤレス通信のための装置であって、
基地局から受信されたダウンリンク制御チャネルの第1の基準信号と第2の基準信号との間の送信電力比のダイナミックレンジを特定するための手段と、
前記送信電力比の前記ダイナミックレンジに少なくとも部分的に基づいてビーム障害ステータスを判定するための手段と、
前記ビーム障害ステータスに従って前記基地局と通信するための手段とを備える装置。
【請求項３７】
前記第1の基準信号は、チャネル状態情報基準信号(CSI-RS)であり、前記第2の基準信号は、物理ダウンリンク制御チャネル(PDCCH)の復調基準信号(DMRS)である、請求項36に記載の装置。
【請求項３８】
前記送信電力比の前記ダイナミックレンジを特定するための前記手段は、
前記基地局から前記送信電力比の前記ダイナミックレンジの指示を受信するための手段を備える、請求項37に記載の装置。
【請求項３９】
前記指示は、前記送信電力比の前記ダイナミックレンジに関連する最大値と、前記送信電力比の前記ダイナミックレンジに関連する最小値とを含む、請求項38に記載の装置。
【請求項４０】
前記指示は、前記送信電力比の前記ダイナミックレンジに関連する最大正オフセットと、前記送信電力比の前記ダイナミックレンジに関連する最大負オフセットとを含む、請求項38に記載の装置。
【請求項４１】
前記指示は、前記送信電力比の前記ダイナミックレンジに関連する最大正オフセットと、前記送信電力比の前記ダイナミックレンジに関連する最大負オフセットの両方を表すオフセット値を含む、請求項38に記載の装置。
【請求項４２】
最大正オフセット、最大負オフセット、および平均送信電力比に少なくとも部分的に基づいて前記送信電力比の前記ダイナミックレンジを決定するための手段をさらに含む、請求項38に記載の装置。
【請求項４３】
前記指示は、無線リソース制御(RRC)、媒体アクセス制御(MAC)制御要素(MAC CE)、またはダウンリンク制御情報(DCI)のうちの少なくとも1つを介して受信される、請求項38に記載の装置。
【請求項４４】
前記送信電力比の前記ダイナミックレンジを特定するための前記手段は、
前記CSI-RSの設定の指示を受信するための手段と、
前記CSI-RSの前記設定の前記指示に少なくとも部分的に基づいて前記送信電力比の前記ダイナミックレンジを決定するための手段とを備える、請求項37に記載の装置。
【請求項４５】
前記設定は、擬似コロケーション(QCL)情報、前記CSI-RSに関する測定量、前記CSI-RSに関連するCSIレポート設定のうちの少なくとも1つを含む、請求項44に記載の装置。
【請求項４６】
前記CSI-RSの前記設定の前記指示は、無線リソース制御(RRC)シグナリングを介して受信される、請求項44に記載の装置。
【請求項４７】
前記送信電力比の前記ダイナミックレンジを特定するための前記手段は、
前記CSI-RSの前記設定に少なくとも部分的に基づいて、前記送信電力比の前記ダイナミックレンジに関連する最大値、および前記送信電力比の前記ダイナミックレンジに関連する最小値を特定するための手段をさらに備える、請求項44に記載の装置。
【請求項４８】
前記送信電力比の前記ダイナミックレンジを特定するための前記手段は、
前記CSI-RSの前記設定に少なくとも部分的に基づいて前記ダイナミックレンジに関連するオフセットを特定するための手段をさらに備える、請求項44に記載の装置。
【請求項４９】
前記送信電力比の前記ダイナミックレンジを特定するための前記手段は、
前記CSI-RSの前記設定に少なくとも部分的に基づいて前記ダイナミックレンジに関連する最大正オフセットおよび最大負オフセットを特定するための手段をさらに備える、請求項44に記載の装置。
【請求項５０】
前記送信電力比の前記ダイナミックレンジを特定するための前記手段は、
前記CSI-RSの前記設定に少なくとも部分的に基づいて最大CSI-RS対DMRS電力比および最小CSI-RS対DMRS電力比を特定するための手段をさらに備える、請求項44に記載の装置。
【請求項５１】
前記送信電力比の前記ダイナミックレンジを特定するための前記手段は、
前記基地局から受信された前記CSI-RSと物理ダウンリンク共有チャネル(PDSCH)との間の電力比の指示を受信するための手段と、
前記CSI-RSと前記PDSCHとの間の前記電力比に少なくとも部分的に基づいて前記送信電力比の前記ダイナミックレンジを決定するための手段とを備える、請求項37に記載の装置。
【請求項５２】
前記判定されたビーム障害ステータスに少なくとも部分的に基づいて、ビーム障害が生じたと判定するための手段と、
前記基地局にビーム障害レポートを送信するための手段とをさらに備える、請求項37に記載の装置。
【請求項５３】
前記送信電力比の前記ダイナミックレンジは、CSI-RSリソースごと、CSI-RSリソースセットごと、またはCSI-RSリソース設定ごとに特定される、請求項37に記載の装置。
【請求項５４】
前記ダイナミックレンジに少なくとも部分的に基づいて、仮説PDCCHブロック誤り率(BLER)上限および仮説PDCCH BLER下限を決定するための手段と、
前記仮説PDCCH BLER上限、前記仮説PDCCH BLER下限、またはその両方に少なくとも部分的に基づいて前記ビーム障害ステータスを判定するための手段とをさらに備える、請求項37に記載の装置。
【請求項５５】
CSI-RS測定を実行するための手段と、
前記仮説PDCCH BLER上限、前記仮説PDCCH BLER下限、CSI-RS測定値、またはそれらの何らかの組合せに少なくとも部分的に基づいて前記ビーム障害ステータスを判定するための手段とをさらに備える、請求項54に記載の装置。
【請求項５６】
ワイヤレス通信のための装置であって、
ユーザ機器(UE)へのダウンリンク制御チャネルの第1の基準信号と第2の基準信号との間の送信電力比のダイナミックレンジを特定するための手段と、
前記UEによる前記送信電力比の前記ダイナミックレンジの特定を容易にする信号を前記UEに送信するための手段と、
前記送信電力比の前記ダイナミックレンジに少なくとも部分的に基づいてビーム障害ステータスレポートを受信するための手段と、
前記ビーム障害ステータスレポートに従って前記UEと通信するための手段とを備える装置。
【請求項５７】
前記第1の基準信号は、チャネル状態情報基準信号(CSI-RS)であり、前記第2の基準信号は、物理ダウンリンク制御チャネル(PDCCH)の復調基準信号(DMRS)である、請求項56に記載の装置。
【請求項５８】
前記信号は、前記送信電力比の前記ダイナミックレンジの指示を含む、請求項57に記載の装置。
【請求項５９】
前記指示は、前記送信電力比の前記ダイナミックレンジに関連する最大値と、前記送信電力比の前記ダイナミックレンジに関連する最小値とを含む、請求項58に記載の装置。
【請求項６０】
前記指示は、前記送信電力比の前記ダイナミックレンジに関連する最大正オフセットと、前記送信電力比の前記ダイナミックレンジに関連する最大負オフセットとを含む、請求項58に記載の装置。
【請求項６１】
前記指示は、前記送信電力比の前記ダイナミックレンジに関連する最大正オフセットと、前記送信電力比の前記ダイナミックレンジに関連する最大負オフセットの両方を表すオフセット値を含む、請求項58に記載の装置。
【請求項６２】
前記送信電力比の前記ダイナミックレンジは、最大正オフセット、最大負オフセット、および平均送信電力比に少なくとも部分的に基づいて決定される、請求項58に記載の装置。
【請求項６３】
前記指示は、無線リソース制御(RRC)、媒体アクセス制御(MAC)制御要素(MAC CE)、またはダウンリンク制御情報(DCI)のうちの少なくとも1つを介して送信される、請求項58に記載の装置。
【請求項６４】
前記CSI-RSの設定の指示を送信するための手段であって、前記設定が、前記送信電力比の前記ダイナミックレンジを指示する、手段をさらに備える、請求項57に記載の装置。
【請求項６５】
前記設定は、擬似コロケーション(QCL)情報、前記CSI-RSに関する測定リンク設定、および前記CSI-RSに関連するCSIレポート設定のうちの少なくとも1つを含む、請求項64に記載の装置。
【請求項６６】
前記CSI-RSの前記設定の前記指示は、無線リソース制御(RRC)シグナリングを介して受信される、請求項64に記載の装置。
【請求項６７】
前記設定の前記指示は、前記ダイナミックレンジに関連するオフセット、前記ダイナミックレンジに関連する最大正オフセット、前記ダイナミックレンジに関連する最大負オフセット、最大CSI-RS対DMRS電力比、および最小CSI-RS対DMRS電力比のうちの少なくとも1つを示す、請求項64に記載の装置。
【請求項６８】
前記CSI-RSと物理ダウンリンク共有チャネル(PDSCH)との間の電力比の指示を送信するための手段であって、前記送信電力比の前記ダイナミックレンジが、前記CSI-RSと前記PDSCHとの間の前記電力比に少なくとも部分的に基づく、手段をさらに備える、請求項57に記載の装置。
【請求項６９】
前記ビーム障害ステータスレポートが仮説PDCCHブロック誤り率(BLER)上限、仮説PDCCH BLER下限、またはその両方に基づくことを特定するための手段であって、前記仮説PDCCH BLER上限および前記仮説PDCCH BLER下限が、前記送信電力比の前記ダイナミックレンジから導出される、手段と、
前記受信されたビーム障害ステータスレポートに少なくとも部分的に基づいて、ビーム障害が生じたと判定するための手段とをさらに備える、請求項57に記載の装置。
【請求項７０】
前記送信電力比の前記ダイナミックレンジは、CSI-RSリソースごと、CSI-RSリソースセットごと、またはCSI-RSリソース設定ごとに特定される、請求項57に記載の装置。
【発明の詳細な説明】
【技術分野】
【０００１】
相互参照
本特許出願は、2017年11月17日に出願され本出願の譲受人に譲渡された、「Determining Beam Failure Based on a Dynamic Range of Transmission Power Ratios」と題するChenxi他の国際特許出願PCT/CN2017/111701号の優先権を主張する。この出願の全体が参照により本明細書に組み込まれる。
【０００２】
以下は一般に、ワイヤレス通信に関し、より詳細には、送信電力比のダイナミックレンジに基づくビーム障害の判定に関する。
【背景技術】
【０００３】
ワイヤレス通信システムは、音声、ビデオ、パケットデータ、メッセージング、ブロードキャストなどの、様々なタイプの通信コンテンツを提供するために広く展開されている。これらのシステムは、利用可能なシステムリソース(たとえば、時間、周波数、および電力)を共有することにより、複数のユーザとの通信をサポートすることが可能である場合がある。そのような多元接続システムの例には、ロングタームエボリューション(LTE)システムまたはLTEアドバンスト(LTE-A)システムなどの第4世代(4G)システム、および新無線(NR)システムと呼ばれることがある第5世代(5G)システムが含まれる。これらのシステムは、符号分割多元接続(CDMA)、時分割多元接続(TDMA)、周波数分割多元接続(FDMA)、直交周波数分割多元接続(OFDMA)、または離散フーリエ変換拡散OFDM(DFT-S-OFDM)などの技術を採用することがある。ワイヤレス多元接続通信システムは、場合によってはユーザ機器(UE)と呼ばれることがある複数の通信デバイスのための通信を各々が同時にサポートする、いくつかの基地局またはネットワークアクセスノードを含む場合がある。
【０００４】
いくつかのワイヤレス通信システム(たとえば、NRシステム)は、ワイヤレスデバイス間のビームフォーミングされた送信に関連付けられた周波数範囲内で動作することがある。たとえば、ミリメートル波(mmW)周波数範囲内の送信は、非mmW周波数範囲内の送信と比較して、より大きい信号減衰(たとえば、経路損失)を伴うことがある。結果として、エネルギーをコヒーレントに組み合わせ、これらのシステムにおける経路損失を克服するために、ビームフォーミングなどの信号処理技法が使用されることがある。場合によっては、2つのワイヤレスデバイス間の1つまたは複数の能動ビームが不整合する場合があり、ビームに関連するチャネル条件などが不十分になることがあり、それによって通信が悪影響を受ける場合がある。
【発明の概要】
【課題を解決するための手段】
【０００５】
説明する技法は、送信電力比のダイナミックレンジに基づくビーム障害判定をサポートする、改良された方法、システム、デバイス、または装置に関する。概して、説明する技法は、2つの基準信号間の送信電力比のダイナミックレンジ(たとえば、基地局がチャネル状態情報(CSI)基準信号(CSI-RS)および物理ダウンリンク制御チャネル(PDCCH)の復調基準信号(DMRS)を送信するために使用する場合がある送信電力比のダイナミックレンジ)に基づくビーム障害判定を可能にする。ユーザ機器(UE)は、基地局から送られる送信電力比情報の指示を介して、基地局によって使用されることがある送信電力比のダイナミックレンジを特定してもよい。そのような指示は、最大使用可能送信電力比、最小使用可能送信電力比、何らかの平均送信電力比または所定の送信電力比からの1つまたは複数のオフセットに関する情報などの情報を含んでもよい。ワイヤレスデバイスは、特定された送信電力比のダイナミックレンジをCSI-RS測定値とともに使用して仮説PDCCHブロック誤り率(BLER: block error rate)の範囲を決定してもよい。仮説PDCCHブロック誤り率(BLER)の範囲(たとえば、仮説PDCCH BLER上限および/または仮説PDCCH BLER下限)内の値をしきい値と比較してビーム障害ステータス(たとえば、ビーム障害)を判定してもよい。
【０００６】
ワイヤレス通信の方法について説明する。この方法は、基地局から受信されたダウンリンク制御チャネルの第1の基準信号と第2の基準信号との間の送信電力比のダイナミックレンジを特定するステップと、送信電力比のダイナミックレンジに少なくとも部分的に基づいてビーム障害ステータスを判定するステップと、ビーム障害ステータスに従って基地局と通信するステップとを含んでもよい。
【０００７】
ワイヤレス通信のための装置について説明する。この装置は、基地局から受信されたダウンリンク制御チャネルの第1の基準信号と第2の基準信号との間の送信電力比のダイナミックレンジを特定するための手段と、送信電力比のダイナミックレンジに少なくとも部分的に基づいてビーム障害ステータスを判定するための手段と、ビーム障害ステータスに従って基地局と通信するための手段とを含んでもよい。
【０００８】
ワイヤレス通信のための別の装置について説明する。この装置は、プロセッサと、プロセッサと電子通信しているメモリと、メモリに記憶された命令とを含んでもよい。このような命令は、プロセッサに、基地局から受信されたダウンリンク制御チャネルの第1の基準信号と第2の基準信号との間の送信電力比のダイナミックレンジを特定することと、送信電力比のダイナミックレンジに少なくとも部分的に基づいてビーム障害ステータスを判定することと、ビーム障害ステータスに従って基地局と通信することとを行わせるように動作可能であってもよい。
【０００９】
ワイヤレス通信のための非一時的コンピュータ可読媒体について説明する。非一時的コンピュータ可読媒体は、プロセッサに、基地局から受信されたダウンリンク制御チャネルの第1の基準信号と第2の基準信号との間の送信電力比のダイナミックレンジを特定することと、送信電力比のダイナミックレンジに少なくとも部分的に基づいてビーム障害ステータスを判定することと、ビーム障害ステータスに従って基地局と通信することとを行わせるように動作可能な命令を含んでもよい。
【００１０】
上述の方法、装置、および非一時的コンピュータ可読媒体のいくつかの例では、第1の基準信号はCSI-RSであってもよく、第2の基準信号はPDCCHのDMRSであってもよい。
【００１１】
上述の方法、装置、および非一時的コンピュータ可読媒体のいくつかの例では、送信電力比のダイナミックレンジを特定することは、基地局から送信電力比のダイナミックレンジの指示を受信することを含む。
【００１２】
上述の方法、装置、および非一時的コンピュータ可読媒体のいくつかの例では、この指示は、送信電力比のダイナミックレンジに関連する最大値と、送信電力比のダイナミックレンジに関連する最小値とを含む。
【００１３】
上述の方法、装置、および非一時的コンピュータ可読媒体のいくつかの例では、この指示は、送信電力比のダイナミックレンジに関連する最大正オフセットと、送信電力比のダイナミックレンジに関連する最大負オフセットとを含む。
【００１４】
上述の方法、装置、および非一時的コンピュータ可読媒体のいくつかの例では、この指示は、送信電力比のダイナミックレンジに関連する最大正オフセットと、送信電力比のダイナミックレンジに関連する最大負オフセットの両方を表すオフセット値を含む。
【００１５】
上述の方法、装置、および非一時的コンピュータ可読媒体のいくつかの例は、最大正オフセット、最大負オフセット、および平均送信電力比に少なくとも部分的に基づいて送信電力比のダイナミックレンジを決定するためのプロセス、特徴、手段、または命令をさらに含んでよい。
【００１６】
上述の方法、装置、および非一時的コンピュータ可読媒体のいくつかの例では、指示は、無線リソース制御(RRC)、媒体アクセス制御制御要素(MAC CE)、またはダウンリンク制御情報(DCI)の少なくとも1つを介して受信されてもよい。
【００１７】
上述の方法、装置、および非一時的コンピュータ可読媒体のいくつかの例では、送信電力比のダイナミックレンジを特定することは、CSI-RSの設定の指示を受信することを含む。上述の方法、装置、および非一時的コンピュータ可読媒体のいくつかの例は、CSI-RSの設定の指示に少なくとも部分的に基づいて送信電力比のダイナミックレンジを決定するためのプロセス、特徴、手段、または命令をさらに含んでもよい。場合によっては、この設定は、擬似コロケーション(QCL)情報、CSI-RSに関する測定量、CSI-RSに関連するCSIレポート設定のうちの少なくとも1つを含む。場合によっては、CSI-RSの設定の指示は、RRCシグナリングを介して受信される。
【００１８】
上述の方法、装置、および非一時的コンピュータ可読媒体のいくつかの例では、送信電力比のダイナミックレンジを特定することは、CSI-RSの設定に少なくとも部分的に基づいて、送信電力比のダイナミックレンジに関連する最大値、および送信電力比のダイナミックレンジに関連する最小値を特定することをさらに含む。
【００１９】
上述の方法、装置、および非一時的コンピュータ可読媒体のいくつかの例では、送信電力比のダイナミックレンジを特定することは、CSI-RSの設定に少なくとも部分的に基づいてダイナミックレンジに関連するオフセットを特定することをさらに含む。
【００２０】
上述の方法、装置、および非一時的コンピュータ可読媒体のいくつかの例では、送信電力比のダイナミックレンジを特定することは、CSI-RSの設定に少なくとも部分的に基づいてダイナミックレンジに関連する最大正オフセットおよび最大負オフセットを特定することをさらに含む。
【００２１】
上述の方法、装置、および非一時的コンピュータ可読媒体のいくつかの例では、送信電力比のダイナミックレンジを特定することは、CSI-RSの設定に少なくとも部分的に基づいて最大CSI-RS対DMRS電力比および最小CSI-RS対DMRS電力比を特定することをさらに含む。
【００２２】
上述の方法、装置、および非一時的コンピュータ可読媒体のいくつかの例では、送信電力比のダイナミックレンジを特定することは、基地局から受信されたCSI-RSと物理ダウンリンク共有チャネル(PDSCH)との間の電力比の指示を受信することを含む。上述の方法、装置、および非一時的コンピュータ可読媒体のいくつかの例は、CSI-RSとPDSCHとの間の電力比に少なくとも部分的に基づいて送信電力比のダイナミックレンジを決定するためのプロセス、特徴、手段、または命令をさらに含んでもよい。
【００２３】
上述の方法、装置、および非一時的コンピュータ可読媒体のいくつかの例は、判定されたビーム障害ステータスに少なくとも部分的に基づいて、ビーム障害ステータスが発生した可能性があると判定するためのプロセス、特徴、手段、または命令をさらに含んでもよい。上述の方法、装置、および非一時的コンピュータ可読媒体のいくつかの例はさらに、基地局にビーム障害レポートを送信するためのプロセス、特徴、手段、または命令を含んでもよい。
【００２４】
上述の方法、装置、および非一時的コンピュータ可読媒体のいくつかの例では、送信電力比のダイナミックレンジは、CSI-RSリソースごと、CSI-RSリソースセットごと、またはCSI-RSリソース設定ごとに特定されてもよい。
【００２５】
上述の方法、装置、および非一時的コンピュータ可読媒体のいくつかの例は、ダイナミックレンジに少なくとも部分的に基づいて仮説PDCCH BLER上限および仮説PDCCH BLER下限を決定するためのプロセス、特徴、手段、または命令をさらに含んでもよい。上述の方法、装置、または非一時的コンピュータ可読媒体のいくつかの例は、仮説PDCCH BLER上限、仮説PDCCH BLER下限、またはその両方に少なくとも部分的に基づいてビーム障害ステータスを判定するためのプロセス、特徴、手段、または命令をさらに含んでもよい。
【００２６】
上述の方法、装置、および非一時的コンピュータ可読媒体のいくつかの例は、CSI-RS測定を実行するためのプロセス、特徴、手段、または命令をさらに含んでもよい。上述の方法、装置、および非一時的コンピュータ可読媒体のいくつかの例はさらに、仮説PDCCH BLER上限、仮説PDCCH BLER下限、CSI-RS測定値、またはそれらの何らかの組合せに少なくとも部分的に基づいてビーム障害ステータスを判定するためのプロセス、特徴、手段、または命令をさらに含んでもよい。
【００２７】
ワイヤレス通信の方法について説明する。この方法は、UEへのダウンリンク制御チャネルの第1の基準信号と第2の基準信号との間の送信電力比のダイナミックレンジを特定するステップと、UEによる送信電力比のダイナミックレンジの特定を容易にする信号をUEに送信するステップと、送信電力比のダイナミックレンジに少なくとも部分的に基づいてビーム障害ステータスレポートを受信するステップと、ビーム障害ステータスレポートに従ってUEと通信するステップとを含んでもよい。
【００２８】
ワイヤレス通信のための装置について説明する。この装置は、UEへのダウンリンク制御チャネルの第1の基準信号と第2の基準信号との間の送信電力比のダイナミックレンジを特定するための手段と、UEによる送信電力比のダイナミックレンジの特定を容易にする信号をUEに送信するための手段と、送信電力比のダイナミックレンジに少なくとも部分的に基づいてビーム障害ステータスレポートを受信するための手段と、ビーム障害ステータスレポートに従ってUEと通信するための手段とを含んでもよい。
【００２９】
ワイヤレス通信のための別の装置について説明する。この装置は、プロセッサと、プロセッサと電子通信しているメモリと、メモリに記憶された命令とを含んでもよい。このような命令は、プロセッサに、UEへのダウンリンク制御チャネルの第1の基準信号と第2の基準信号との間の送信電力比のダイナミックレンジを特定することと、UEによる送信電力比のダイナミックレンジの特定を容易にする信号をUEに送信することと、送信電力比のダイナミックレンジに少なくとも部分的に基づいてビーム障害ステータスレポートを受信することと、ビーム障害ステータスレポートに従ってUEと通信することとを行わせるように動作可能であってもよい。
【００３０】
ワイヤレス通信のための非一時的コンピュータ可読媒体について説明する。非一時的コンピュータ可読媒体は、プロセッサに、UEへのダウンリンク制御チャネルの第1の基準信号と第2の基準信号との間の送信電力比のダイナミックレンジを特定することと、UEによる送信電力比のダイナミックレンジの特定を容易にする信号をUEに送信することと、送信電力比のダイナミックレンジに少なくとも部分的に基づいてビーム障害ステータスレポートを受信することと、ビーム障害ステータスレポートに従ってUEと通信することとを行わせるように動作可能な命令を含んでもよい。
【００３１】
上記で説明した方法、装置、および非一時的コンピュータ可読媒体のいくつかの例では、第1の基準信号はCSI-RSであってもよく、第2の基準信号はPDCCHのDMRSであってもよい。
【００３２】
上述の方法、装置、および非一時的コンピュータ可読媒体のいくつかの例では、信号は、送信電力比のダイナミックレンジの指示を含む。
【００３３】
上述の方法、装置、および非一時的コンピュータ可読媒体のいくつかの例では、この指示は、送信電力比のダイナミックレンジに関連する最大値と、送信電力比のダイナミックレンジに関連する最小値とを含む。
【００３４】
上述の方法、装置、および非一時的コンピュータ可読媒体のいくつかの例では、この指示は、送信電力比のダイナミックレンジに関連する最大正オフセットと、送信電力比のダイナミックレンジに関連する最大負オフセットとを含む。
【００３５】
上述の方法、装置、および非一時的コンピュータ可読媒体のいくつかの例では、この指示は、送信電力比のダイナミックレンジに関連する最大正オフセットと、送信電力比のダイナミックレンジに関連する最大負オフセットの両方を表すオフセット値を含む。
【００３６】
上述の方法、装置、および非一時的コンピュータ可読媒体のいくつかの例では、送信電力比のダイナミックレンジは、最大正オフセット、最大負オフセット、および平均送信電力比に少なくとも部分的に基づいて判定されてもよい。
【００３７】
上述の方法、装置、および非一時的コンピュータ可読媒体のいくつかの例では、指示は、RRC、MAC CE、またはDCIのうちの少なくとも1つを介して送信されてもよい。
【００３８】
上述の方法、装置、および非一時的コンピュータ可読媒体のいくつかの例は、CSI-RSの設定の指示を送信するためのプロセス、特徴、手段、または命令であって、設定が送信電力比のダイナミックレンジを指示する、プロセス、特徴、手段、または命令をさらに含んでもよい。場合によっては、この設定は、QCL情報、CSI-RSに関する測定量、CSI-RSに関連するCSIレポート設定のうちの少なくとも1つを含む。場合によっては、CSI-RSの設定の指示は、RRCシグナリングを介して受信される。
【００３９】
上述の方法、装置、および非一時的コンピュータ可読媒体のいくつかの例では、設定の指示は、ダイナミックレンジに関連するオフセット、ダイナミックレンジに関連する最大正オフセット、ダイナミックレンジに関連する最大負オフセット、最大CSI-RS対DMRS電力比、および最小CSI-RS対DMRS電力比のうちの少なくとも1つを示す。
【００４０】
上述の方法、装置、および非一時的コンピュータ可読媒体のいくつかの例は、基地局から受信されたCSI-RSとPDSCHとの間の電力比の指示を送信するためのプロセス、特徴、手段、または命令であって、送信電力比のダイナミックレンジが、CSI-RSとPDSCHとの間の電力比に少なくとも部分的に基づいてもよい、プロセス、特徴、手段、または命令をさらに含んでもよい。
【００４１】
上述の方法、装置、および非一時的コンピュータ可読媒体のいくつかの例は、ビーム障害ステータスレポートが仮説PDCCH BLER上限、仮説PDCCH BLER下限、またはその両方に基づく場合があることを特定するためのプロセス、特徴、手段、または命令であって、仮説PDCCH BLER上限および仮説PDCCH BLER下限が、送信電力比のダイナミックレンジから導出されてもよい、プロセス、特徴、手段、または命令をさらに含んでもよい。上述の方法、装置、および非一時的コンピュータ可読媒体のいくつかの例は、受信されたビーム障害ステータスレポートに少なくとも部分的に基づいて、ビーム障害が発生した可能性があると判定するためのプロセス、特徴、手段、または命令をさらに含んでもよい。
【００４２】
上述の方法、装置、および非一時的コンピュータ可読媒体のいくつかの例では、送信電力比のダイナミックレンジは、CSI-RSリソースごと、CSI-RSリソースセットごと、またはCSI-RSリソース設定ごとに特定されてもよい。
【図面の簡単な説明】
【００４３】
【図１】本開示の態様による、送信電力比のダイナミックレンジに基づいてビーム障害を判定することをサポートするワイヤレス通信システムの一例を示す図である。
【図２】本開示の態様による、送信電力比のダイナミックレンジに基づいてビーム障害を判定することをサポートするワイヤレス通信システムの一例を示す図である。
【図３】本開示の態様による、送信電力比のダイナミックレンジに基づいてビーム障害を判定することをサポートするプロセスフローの一例を示す図である。
【図４】本開示の態様による、送信電力比のダイナミックレンジに基づいてビーム障害を判定することをサポートする流れ図の一例を示す図である。
【図５】本開示の態様による、送信電力比のダイナミックレンジに基づいてビーム障害を判定することをサポートするデバイスのブロック図である。
【図６】本開示の態様による、送信電力比のダイナミックレンジに基づいてビーム障害を判定することをサポートするデバイスのブロック図である。
【図７】本開示の態様による、送信電力比のダイナミックレンジに基づいてビーム障害を判定することをサポートするデバイスのブロック図である。
【図８】本開示の態様による、送信電力比のダイナミックレンジに基づいてビーム障害を判定することをサポートするUEを含むシステムのブロック図である。
【図９】本開示の態様による、送信電力比のダイナミックレンジに基づいてビーム障害を判定することをサポートするデバイスのブロック図である。
【図１０】本開示の態様による、送信電力比のダイナミックレンジに基づいてビーム障害を判定することをサポートするデバイスのブロック図である。
【図１１】本開示の態様による、送信電力比のダイナミックレンジに基づいてビーム障害を判定することをサポートするデバイスのブロック図である。
【図１２】本開示の態様による、送信電力比のダイナミックレンジに基づいてビーム障害を判定することをサポートする基地局を含むシステムのブロック図である。
【図１３】本開示の態様による、送信電力比のダイナミックレンジに基づいてビーム障害を判定する方法を示す図である。
【図１４】本開示の態様による、送信電力比のダイナミックレンジに基づいてビーム障害を判定する方法を示す図である。
【図１５】本開示の態様による、送信電力比のダイナミックレンジに基づいてビーム障害を判定する方法を示す図である。
【図１６】本開示の態様による、送信電力比のダイナミックレンジに基づいてビーム障害を判定する方法を示す図である。
【発明を実施するための形態】
【００４４】
いくつかのワイヤレス通信システムは、ワイヤレスデバイス間のビームフォーミングされた送信をサポートする周波数範囲内で動作することができる。たとえば、ミリメートル波(mmW)周波数帯域内の通信では、信号減衰(たとえば、経路損失)が大きくなる場合がある。結果として、エネルギーをコヒーレントに組み合わせ、これらのシステムにおける経路損失を克服するために、ビームフォーミングなどの信号処理技法が使用されてもよい。そのようなシステムでは、ユーザ機器(UE)および基地局などのワイヤレスデバイスは、1つまたは複数のアクティブビームを介して通信することができる場合があり、アクティブビームは、送信デバイスにおいて使用される送信ビームおよび受信デバイスにおける受信ビーム(たとえば、ビームペア)に相当してもよい。場合によっては、アクティブビームペアが不整合することがあり、それによって、UEと基地局が遮断ビームまたはアクティブビームペアを介して通信できなくなることがある(たとえば、ビームスイッチ障害または信号遮断に起因して、ビームに伴うチャネル条件が不十分になることなど)。
【００４５】
したがって、UEは、それに応じて、基地局と通信するために使用されるアクティブビーム上のビーム故障を(たとえば、基準信号を監視することによって)判定してもよい。たとえば、UEは、基地局によって送信されるチャネル状態情報(CSI)基準信号(CSI-RS)を介して(たとえば、ビームまたはアクティブビームペアに関連付けられた)チャネルの測定を実行してもよい。UEは、CSI-RS測定値を、CSI-RSと物理ダウンリンク制御チャネル(PDCCH)の変調基準信号(DMRS)との間の送信電力比とともに使用して、仮説PDCCHブロック誤り率(BLER)を判定してもよい。次いで、仮説PDCCH BLERを何らかの所定のしきい値(たとえば、ビーム障害トリガしきい値)と比較して、ビーム障害ステータスを判定して(たとえば、ビームが適切であるかどうかを判定するかまたはビーム障害を判定して)もよい。
【００４６】
場合によっては、CSI-RSとPDCCHとの間の送信電力比(たとえば、Pc_PDCCH_DMRS)は(たとえば、基地局によって使用されているかまたは使用されることになる何らかの平均送信電力比に応じて)事前設定されてもよい。しかし、実際の実装形態では、CSI-RSおよびPDCCHの送信用に基地局によって使用される実際の電力比は、何らかのダイナミックレンジ内(たとえば、±dB)であってもよい。したがって、本明細書で説明する技法によれば、UEに、基地局によって使用される送信電力比のダイナミックレンジを認識させ、仮説PDCCH BLERまたは仮説PDCCH BLERの範囲を決定してもよい。したがって、UEは、仮説PDCCH BLERの判定された範囲内の値(たとえば、仮説最大PDCCH BLERおよび/または仮説最小PDCCH BLER)を、何らかの所定の値のビーム障害トリガしきい値とともに使用して、ビーム障害ステータスを判定してもよい。したがって、ワイヤレス通信システムは、(たとえば、ある範囲の仮説PDCCH BLERに基づいてビーム障害を判定することによって)ビーム障害報告要件における融通性が高くなることがあり、このことはシステム要件に応じて(たとえば、トラフィック優先度、BLER要件などに基づいて)実装されてもよい。
【００４７】
一例では、ネットワーク(たとえば、基地局)は、CSI-RSおよびPDCCHに使用される送信電力比のダイナミックレンジを明示的にシグナリングしてもよい。場合によっては、ネットワークは、最大正オフセットと最大負オフセットとを含む電力マージンを判定し、電力マージンを電力比(たとえば、平均電力比)とともにUEにシグナリングしてもよい。言い換えれば、ネットワークは、最大電力比(たとえば、電力比+最大正オフセット)および最小電力比(たとえば、電力比+最大負オフセット)をUEにシグナリングしてもよい。第2の例では、電力比のダイナミックレンジがあらかじめ決定され(たとえば、ルックアップテーブルを介して特定され)てもよい。そのような場合、電力マージン、平均電力比、最大電力比、最小電力比などは、CSI-RSの使用事例(たとえば、CSI-RS設定)に依存してもよい。第3の例では、電力比のダイナミックレンジは、他のパラメータから暗黙的に導出されてもよい。場合によっては、仮説PDCCH BLERは、CSI-RS測定値をCSI-RSとデータ送信(たとえば、物理ダウンリンク共有チャネル(PDSCH))との間の送信電力比とともに使用して算出されてもよい。CSI-RSとPDSCHとの間の送信電力比は、CSI-RS設定に含まれてもよく、それによって、UEは、CSI-RS設定を受信したときに、BLERの仮説範囲を暗黙的に導出してもよい。以下で、以下の図を参照しながら、上述の例についてさらに説明する。
【００４８】
最初に本開示の態様についてワイヤレス通信システムの文脈で説明する。次いで、説明する技法を示す例示的なプロセスフローおよび流れ図について説明する。本開示の態様はさらに、送信電力比のダイナミックレンジに基づくビーム障害の判定に関する装置図、システム図、およびフローチャートによって示され、態様についてそれらを参照しながら説明する。
【００４９】
図1は、本開示の様々な態様による、ワイヤレス通信システム100の一例を示す。ワイヤレス通信システム100は、基地局105と、UE115、コアネットワーク130とを含む。いくつかの例では、ワイヤレス通信システム100は、ロングタームエボリューション(LTE)ネットワーク、LTEアドバンスト(LTE-A)ネットワーク、または新無線(NR)ネットワークであってもよい。いくつかの場合には、ワイヤレス通信システム100は、拡張ブロードバンド通信、超高信頼(すなわち、ミッションクリティカルな)通信、低レイテンシ通信、ならびに、低コストおよび低複雑度デバイスとの通信をサポートしてもよい。ワイヤレス通信システム100は、ビーム障害特定および回復技法をサポートしてもよい。
【００５０】
基地局105は、1つまたは複数の基地局アンテナを介してUE115とワイヤレスに通信することができる。各基地局105は、それぞれの地理的カバレージエリア110に通信カバレージを与えてもよい。ワイヤレス通信システム100に示されている通信リンク125は、UE115から基地局105へのアップリンク送信、または基地局105からUE115へのダウンリンク送信を含んでもよい。制御情報およびデータは、様々な技法に従ってアップリンクチャネルまたはダウンリンクチャネル上で多重化されてもよい。制御情報およびデータは、たとえば、時分割多重化(TDM)技法、周波数分割多重化(FDM)技法、またはハイブリッドTDM-FDM技法を使用して、ダウンリンクチャネル上で多重化されてもよい。いくつかの例では、ダウンリンクチャネルの送信時間間隔(TTI)中に送信される制御情報は、異なる制御領域の間で(たとえば、共通制御領域と1つまたは複数のUE固有制御領域との間で)カスケード方式で分散されてもよい。
【００５１】
UE115は、ワイヤレス通信システム100全体にわたって分散されてよく、各UE115は固定型または移動型であってもよい。UE115は、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。UE115はまた、セルラーフォン、携帯情報端末(PDA)、ワイヤレスモデム、ワイヤレス通信デバイス、ハンドヘルドデバイス、タブレットコンピュータ、ラップトップコンピュータ、コードレスフォン、パーソナル電子デバイス、ハンドヘルドデバイス、パーソナルコンピュータ、ワイヤレスローカルループ(WLL)局、モノのインターネット(IoT)デバイス、インターネットオブエブリシング(IoE)デバイス、マシンタイプ通信(MTC)デバイス、アプライアンス、自動車などであってもよい。
【００５２】
コアネットワーク130は、ユーザ認証、アクセス許可、追跡、インターネットプロトコル(IP)接続性、および他のアクセス機能、ルーティング機能、またはモビリティ機能を提供してもよい。基地局105などのネットワークデバイスのうちの少なくともいくつかは、アクセスネットワークエンティティなどの副構成要素を含んでもよく、アクセスネットワークエンティティは、アクセスノードコントローラ(ANC)の一例であってもよい。各アクセスネットワークエンティティは、各々がスマート無線ヘッドまたは送信/受信ポイント(TRP)の一例である場合がある、いくつかの他のアクセスネットワーク送信エンティティを通していくつかのUE115と通信してもよい。いくつかの構成では、各アクセスネットワークエンティティまたは基地局105の様々な機能は、様々なネットワークデバイス(たとえば、無線ヘッドおよびアクセスネットワークコントローラ)にわたって分散されるか、または単一のネットワークデバイス(たとえば、基地局105)にコンソリデートされてもよい。
【００５３】
ワイヤレス通信システム100は、700MHzから2600MHz(2.6GHz)までの周波数帯域を使用する超高周波(UHF)周波数領域中で動作してもよいが、場合によっては、ワイヤレスローカルエリアネットワーク(WLAN)は、4GHz程度の高い周波数を使用してもよい。この領域は、波長が約1デシメートルから1メートルの長さに及ぶので、デシメートル帯域と呼ばれることもある。UHF波は、主に見通し線によって伝搬してもよく、建築物と環境特性とによって遮断される場合がある。しかしながら、波は屋内に位置するUE115にサービスを提供するのに十分に壁を貫通してもよい。UHF波の送信は、スペクトルの高周波(HF)または超高周波(VHF)部分のより小さい周波数(および、より長い波)を使用する送信と比較して、より小型のアンテナおよびより短い距離(たとえば、100km未満)によって特徴付けられる。いくつかの場合には、ワイヤレス通信システム100はまた、スペクトルの極高周波(EHF)部分(たとえば、30GHzから300GHzまで)を利用してもよい。この領域は、波長が約1ミリメートルから1センチメートルまでの長さに及ぶので、ミリメートル帯域と呼ばれることもある。したがって、EHFアンテナは、UHFアンテナよりもさらに小型であり、間隔がより密である場合がある。場合によっては、これは、(たとえば、指向性ビームフォーミングのための)UE115内のアンテナアレイの使用を容易にすることができる。しかしながら、EHF送信は、UHF送信よりも一層大きい大気減衰およびより短い距離を受けてもよい。
【００５４】
したがって、ワイヤレス通信システム100は、UE115と基地局105との間のmmW通信をサポートしてもよい。mmW帯域またはEHF帯域内で動作するデバイスは、ビームフォーミングを可能にするために複数のアンテナを有してもよい。すなわち、基地局105は、UE115との指向性通信のためのビームフォーミング動作を行うために、複数のアンテナまたはアンテナアレイを使用してもよい。(空間フィルタリングまたは指向性送信と呼ばれる場合もある)ビームフォーミングは、ターゲット受信側(たとえば、UE115)の方向にアンテナビーム全体を形成および/またはステアリングするために、送信側(たとえば、基地局105)において使用されてもよい信号処理技法である。これは、特定の角度における送信信号が強め合う干渉を受け、一方、他の送信信号が弱め合う干渉を受けるように、アンテナアレイ内の要素を組み合わせることによって実現されてもよい。
【００５５】
多入力多出力(MIMO)ワイヤレスシステムは、送信側(たとえば、基地局105)と受信側(たとえば、UE115)との間の送信方式を使用し、送信側と受信側の両方は複数のアンテナを装備している。ワイヤレス通信システム100のいくつかの部分は、ビームフォーミングを使用してもよい。たとえば、基地局105は、基地局105がUE115とのその通信におけるビームフォーミングに使用することがあるアンテナポートのいくつかの行と列とを有するアンテナアレイを有してもよい。信号は、異なる方向において複数回送信されてもよい(たとえば、各送信は別様にビームフォーミングされてもよい)。mmW受信機(たとえば、UE115)は、同期信号を受信しながら複数のビーム(たとえば、アンテナサブアレイ)を試みてもよい。
【００５６】
場合によっては、基地局105またはUE115のアンテナは、ビームフォーミングまたはMIMO動作をサポートすることができる1つまたは複数のアンテナアレイ(たとえば、パネル)内に配置されてもよい。1つまたは複数の基地局のアンテナまたはアンテナアレイは、アンテナタワーなどのアンテナアセンブリにおいて併置されてもよい。場合によっては、基地局105に関連付けられたアンテナまたはアンテナアレイは、多様な地理的位置に配置されてもよい。基地局105は、複数のアンテナまたはアンテナアレイを使用して、UE115との指向性通信のためのビームフォーミング動作を行ってもよい。
【００５７】
場合によっては、ワイヤレス通信システム100は、階層化プロトコルスタックに従って動作するパケットベースのネットワークであってもよい。ユーザプレーンでは、ベアラまたはパケットデータコンバージェンスプロトコル(PDCP)レイヤにおける通信は、IPベースであってもよい。いくつかの場合、無線リンク制御(RLC)レイヤが、論理チャネルを介して通信するためにパケットのセグメンテーションおよびリアセンブリを実行してもよい。媒体アクセス制御(MAC)レイヤは、優先処理、およびトランスポートチャネルへの論理チャネルの多重化を実行してもよい。MACレイヤは、リンク効率を改善するために、ハイブリッド自動再送要求(HARQ)を使用して、MACレイヤにおける再送信を実現することもできる。制御プレーンでは、無線リソース制御(RRC)プロトコルレイヤが、ユーザプレーンデータのための無線ベアラをサポートする、UE115とネットワークデバイスまたはコアネットワーク130との間のRRC接続の確立、構成、および保守を実現してもよい。物理(PHY)レイヤにおいて、トランスポートチャネルは物理チャネルにマッピングされてもよい。
【００５８】
ワイヤレス通信システム100では、UE115および基地局105は1つまたは複数のアクティブビームを通信してもよく、アクティブビームは、送信デバイスにおいて使用される送信ビームおよび受信デバイスにおける受信ビーム(たとえば、ビームペア)に相当してもよい。さらに、ダウンリンクビームおよびアップリンクビームはそれぞれに異なるビームを利用してもよく、アップリンクビームはダウンリンクビームから導出されない場合がある。場合によっては、アクティブビームペア、すなわち、ダウンリンクビームおよび/またはアップリンクビームが、(たとえば、ビームスイッチ障害または信号遮断に起因して)不整合することがあり、ビームに伴うチャネル条件が不十分になることなどがあり、それによって、UE115と基地局105が遮断ビームまたはビームペアを介して通信できなくなることがある。本明細書で論じられるような様々な技法は、あるビームに障害が生じたことを特定するのを可能にする。場合によっては、基地局105は、CSI-RSおよびPDCCHのDMRSの送信に使用されることがある送信電力比のダイナミックレンジ(または、たとえば他の例では、CSI-RSの送信およびPDSCHのデータ送信に使用されることがある送信電力比のダイナミックレンジ)を示す情報を伝達してもよい。UE115は、伝達された情報に基づいて送信電力比のダイナミックレンジを特定してもよく、特定されたレンジに基づいてビーム障害ステータスを判定してもよい。その場合、基地局105およびUE115は、以下の図を参照しながらより詳しく説明するように、ビーム障害ステータスに従って通信してもよい。
【００５９】
場合によっては、UE115は、CSI-RSとPDCCHのDMRSとの平均送信電力比または所定の送信電力比を使用してビーム障害ステータスを判定してもよい。しかし、PDCCHの実際の送信電力は、変更されるか、またはスロットごとに異なる場合があり、すなわち、実際のBLERは、仮説BLERとは異なることがある。したがって、実際のBLERは仮説BLERよりも低いかまたは高い場合があるので、平均送信電力比または所定の送信電力比のみから導出された仮説BLERはビーム障害を正確に判定しない場合がある。送信電力比のダイナミックレンジを利用すると、UE115がベストケースシナリオの仮説BLERおよびワーストケースシナリオの仮説BLERを導出することが可能になり、それによりビーム障害ステータスがよりうまく判定される場合があることによって、この問題が軽減されることがある。たとえば、ワーストケース仮説BLERが、ビーム障害を示すしきい値BLERよりも低い場合、ビーム障害の可能性は、(たとえば、仮説BLER値と実際のBLER値との間の差異に起因して)平均電力比または所定の電力比から導出されたBLERだけがしきい値よりも低い場合よりも低いことがある。したがって、UE115は、ベストケースシナリオBLERおよび/またはワーストケースシナリオBLERに基づいてビーム障害ステータスをより正確に判定してもよい。
【００６０】
UE115は、基地局105からの明示的なシグナリングを介して送信電力比のダイナミックレンジを決定してもよい。そのような明示的なシグナリングは、最大送信電力比、最小送信電力比、(たとえば、別個の値として送信されるかまたは正もしくは負として適用することができる単一の値として送信される)正および負のオフセット、平均送信電力比もしくは所定の送信電力比、またはそれらの組合せを示してもよい。この場合の明示的なシグナリングの1つの利点は、UE115に送られるパラメータタイプが変更されてもよいことである。たとえば、UE115は最初、最大送信電力比および最小送信電力比を受信してもよいが、後で正のオフセット、負のオフセット、および平均送信電力比を受信してもよい。別の利点は、UE115に送られるパラメータ値が変更されてもよいことである。たとえば、UE115は最初、3dBの正のオフセット値を受信してもよく、後で4dBの正のオフセット値を受信してもよい。
【００６１】
場合によっては、UE115は、最大正オフセット値と最大負オフセット値の両方を表すことができる単一のオフセット値を受信してもよい。単一のオフセット値を使用することの1つの利点は、単一の値の送信に伴うオーバーヘッドが最小になる場合があることである。他の場合には、UE115は、正のオフセット値および負のオフセット値を受信してもよい。最大正オフセットおよび最大負オフセットを使用することの1つの利点は、最大正オフセット値と最大負オフセット値の大きさが互いに異なってもよく、それによって、ベストケース仮説BLER値およびワーストケース仮説BLER値が柔軟に判定される場合があることである。
【００６２】
場合によっては、UE115は、RRC制御要(CE)またはMAC制御要素を介して明示的なシグナリングを受信してもよい。RRCまたはMAC CEを介したシグナリングの1つの利点は、RRCおよびMAC CEを介したシグナリングに伴うオーバーヘッドが(たとえば、RRCおよびMAC CEの周期が短いことに起因して)小さい場合があることである。他の場合には、UE115は、DCIを介して明示的なシグナリングを受信してもよい。DCIを利用することの1つの利点は、DCIを各スロットにおいて送ることが可能になる場合があり、すなわち、UE115がパラメータの更新値をより頻繁に受信可能になる場合があることである。
【００６３】
UE115は、UE115に関連するCSI-RS設定に基づいて送信電力比のダイナミックレンジを決定してもよい。たとえば、特定のCSI-RS設定が、最大送信電力比、最小送信電力比、(たとえば、別個にリストされるかまたは正もしくは負として適用される場合がある1つの値としてリストされる)正もしくは負のオフセット、またはそれらの組合せの値を示すことがある特定のルックアップテーブルに関連付けられてもよい。CSI-RS設定に基づいてダイナミックレンジを決定することの1つの利点は、UEが外部ガイダンスなしに仮説BLER値を導出可能になる場合があることである。
【００６４】
図2は、本開示の様々な態様によるビーム障害特定技法をサポートするワイヤレス通信システム200の一例を示す。ワイヤレス通信システム200は、各々が図1を参照しながら説明したような対応するデバイスの一例であってもよい、基地局105-aおよびUE115-aを含む。UE115-aおよび基地局105-aは、たとえば、指向性のビームを使用して通信することがあり、mmWスペクトルを使用して動作することがある。場合によっては、UE115-aおよび基地局105-aは、mmWスペクトル以外のスペクトル(たとえば、周波数が6GHz未満のスペクトル(サブ6GHz))において動作してもよい。ワイヤレス通信システム200は、UE115-aと基地局105-aとの間のアクティブビームペア(たとえば、送信ビーム205および受信ビーム210に関連するアクティブビームペア)についてのビーム障害を特定する態様を示す。
【００６５】
ワイヤレス通信システム200は、基地局105-aとUE115-aとの間のビームフォーミングされた送信と関連付けられる周波数範囲で動作してもよい。たとえば、ワイヤレス通信システム200は、mmW周波数範囲を使用して動作してもよい。結果として、ビームフォーミングなどの信号処理技法は、エネルギーをコヒーレントに結合して経路損失を克服するために使用されてもよい。例として、基地局105-aは、複数のアンテナを含んでもよい。場合によっては、各アンテナは、位相シフトバージョンがいくつかの領域内で強め合うように干渉し、他の領域内で弱め合うように干渉するように、信号の位相シフトバージョンを送信(または受信)してもよい。(たとえば、所望の方向に送信をステアリングするために)様々な位相シフト信号に重みが適用されてもよく、それによって送信ビーム205が形成されてもよい。受信機側では、各アンテナからの信号が(たとえば、送信の場合と同様に)それぞれに異なる重みによって増幅されてもよい。たとえば、それぞれに異なる重み付けパターンを使用して所望の感度パターンを実現し受信ビーム210を形成してもよい。そのような技法(または同様の技法)は、基地局105-aの地理的カバレージエリア110-aを増大させるか、または場合によってはワイヤレス通信システム200に利するように働くことがある。本例は、基地局105-aからUE115-aへのダウンリンク送信の一例を示す場合がある。すなわち、送信ビーム205は、UE115-aに対してダウンリンク送信を行うために基地局105-aによって使用されるビームを指すことがあり、受信ビーム210は、基地局105-aからダウンリンク送信を受信するためにUE115-aによって使用されるビームを指すことがある。しかし、本明細書で説明する技法は、アップリンク送信に適用されてもよい(たとえば、基地局105-aがビーム障害を判定してもよい)。たとえば、アップリンク送信シナリオでは、UE115-aは、受信ビーム210と同様または同一の送信ビームを使用してアップリンク送信を行ってもよく、基地局105-aは、送信ビーム205と同様または同一の受信ビームを使用してアップリンク送信を受信してもよい。すなわち、上述のビーム障害判定技法は、同様に、本開示の範囲から逸脱せずに、アクティブビームペア(たとえば、送信ビーム205-aと受信ビーム210-aとを含むアクティブビームペア)、ダウンリンクビーム(たとえば、送信ビーム205)、および/またはアップリンクビーム(たとえば、UE115-aがアップリンク送信を行うシナリオにおける受信ビーム210と同様または同一の送信ビーム)に適用されてもよい。
【００６６】
送信ビーム205-a、205-bなどは、ビームの例を表し、このようなビームを介してデータ(または、たとえば制御情報)が送信される場合がある。したがって、各送信ビーム205は、基地局105-aから地理的カバレッジエリア110-aの異なる領域へと向けられることがあり、場合によっては、2つ以上のビームが重複することがある。送信ビーム205は、同時送信、ビーム掃引送信、それぞれに異なる時間における送信などに使用されてもよい。いずれの場合も、UE115-bは、1つまたは複数の受信ビーム210において情報を受信することが可能であってもよい。アクティブビームペア(たとえば、送信ビーム205-aおよび受信ビーム210-a)が不整合した場合、またはダウンリンクビームまたはアップリンクビームに伴うチャネル条件が不十分である場合にビーム障害を伴うことがある。場合によっては、送信シナリオが交換されてもよい(たとえば、UE115-aが、基地局105-aが受信する場合があるデータを送信することがある)。そのような場合、送信ビーム205が受信ビームと見なされてもよく、受信ビーム210が送信ビームと見なされてもよい。したがって、本明細書で説明する技法は、本開示の範囲から逸脱せずにアップリンクシナリオにおいて使用されてもよい。
【００６７】
上述のように、mmW周波数を使用して動作するとき、基地局105-aおよび/またはUE115-aは、ワイヤレス信号の強度を高め、かつ追加の経路損失を軽減するためにビームフォーミング技法を利用することがある。ビームフォーミング技法では、基地局105-aが、データを搬送しならびに/または情報を制御する複数のビームフォーミングされたダウンリンク信号を(たとえば、送信ビーム205を介して)送信することに寄与してもよい。たとえば、基地局105-aは、ビーム基準信号(BRS)、ビーム調整基準信号(BRRS)、ビーム測定基準信号、CSI-RS、ビーム同期信号、アップリンクグラント、ブロードキャスト信号(たとえば、マスタ情報ブロック(MIB)もしくはシステム情報ブロック(SIB))、または任意の数の他のタイプのダウンリンクメッセージを送信してもよい。ビームフォーミングされた信号は、整形されて送信されるか、またはビームフォーミングされた信号が、それぞれに異なる送信ビーム205に応じて異なる方向に送信される指向的に送信されてもよい。ビームフォーミングされた信号は、図1を参照しながら説明したように、アンテナポートプリコーダ設定(たとえば、各々の送信ビーム205の方向および/または形状を決定するアナログおよび/またはデジタルビームフォーミング段階)と関連付けられてもよい。たとえば、送信ビーム205-aは、第1の方向または形状において送信されてもよく、送信ビーム205-bは、第2の方向または形状において送信されてもよく、送信ビーム205-cは、第3の方向または形状において送信されてもよい。場合によっては、ビームフォーミングされた信号または送信ビーム205-は、掃引パターンで送信されることがある。
【００６８】
場合によっては、UE115-aは、送信ビーム205またはアクティブビームペア上で(たとえば、基準信号を監視することによって)ビーム障害を判定してもよい。たとえば、UE115-aは、基地局105-aによって送信されるCSI-RSを介して(たとえば、ビーム205またはアクティブビームペアに関連する)チャネルの測定を実行してもよい。UE115-aは、CSI-RS測定値をCSI-RSとPDCCHのDMRSとの間の送信電力比(たとえば、Pc_PDCCH_DMRS比)とともに使用して仮説PDCCH BLERを決定してもよい。次いで、仮説PDCCH BLERを何らかの所定のしきい値と比較して、ビーム障害ステータスを判定してもよい(たとえば、ビームが適切であるかそれとも不適切であるかを判定する、後者はビーム障害である)。
【００６９】
場合によっては、CSI-RSとPDCCHとの間の送信電力比(たとえば、Pc_PDCCH_DMRS)は(たとえば、基地局105-aによって使用されているかまたは使用されることになる何らかの平均送信電力比に応じて)事前設定されてもよい。しかし、実際の実装形態では、CSI-RSおよびPDCCHの送信用に基地局105-aによって使用される実際の電力は、何らかのダイナミックレンジ内であってもよい(たとえば、電力比は何らかの±dBレンジに関連付けられてもよい)。したがって、本明細書で説明する技法によれば、UE115-aに、基地局105-aによって使用される送信電力比のダイナミックレンジを認識させ、仮説PDCCH BLERまたはPDCCH BLERの仮説範囲を決定してもよい。UE115-aは、たとえば、仮説最大PDCCH BLERおよび/または仮説最小PDCCH BLERを所定のしきい値とともに使用してビーム障害ステータスを判定してもよい。したがって、ワイヤレス通信システムは、(たとえば、ある範囲の仮説PDCCH BLERに基づいてビーム障害を判定することによって)ビーム障害報告要件における融通性が高くなることがあり、このことはシステム要件に応じて(たとえば、トラフィック優先度、BLER要件などに基づいて)実装されてもよい。
【００７０】
本説明では、Pc_PDCCH_DMRSのダイナミックレンジ(たとえば、CSI-RSとPDCCHのDMRSの送信電力比)は、何らかの所定の初期Pc_PDCCH_DMRSまたは何らかのPc_PDCCH_DMRS平均値(たとえば、CSI-RSとPDCCHのDMRSの送信電力比の平均値)に少なくとも部分的に基づいてもよく、この値は、説明の都合上、Pc_PDCCH_DMRSrefと呼ばれる。後述のように、Pc_PDCCH_DMRSのダイナミックレンジは、Pc_PDCCH_DMRSrefからの指示されたオフセットに基づいて判定されてもよい(たとえば、Pc_PDCCH_DMRSrefからの正および負のオフセットを使用して、Pc_PDCCH_DMRSmax= Pc_PDCCH_DMRSref+最大正オフセットおよびPc_PDCCH_DMRSmin= Pc_PDCCH_DMRSref+最大負オフセット値を判定してもよい)。場合によっては、基地局105-aは、Pc_PDCCH_DMRSrefをRRCを介して明示的にUE115-aにシグナリングしてもよい。他の場合には、Pc_PDCCH_DMRSrefは、CSI-RSとPDSCHとの間の電力比から暗黙的に導出されてもよい(たとえば、Pc_PDCCH_DMRSrefはPc_PDSCHから導出されてもよい)。他の場合には、Pc_PDCCH_DMRSrefは事前設定されてもよい(たとえば、UE115-aは、第1のCSI-RS設定にはPc_PDCCH_DMRSref=0dBを仮定し、第2のCSI-RS設定にはPc_PDCCH_DMRSref=3dBを仮定してもよい、など。)。さらに他の場合には、ネットワーク(たとえば、基地局105-a)は、ビーム障害検出用の信号対干渉プラス雑音比(SINR)しきい値をシグナリングしてもよい。本明細書で説明するように、Pc_PDCCH_DMRSrefは平均値を表してもよく、この値は、実際の実装時に何らかのしきい値に関連付けられてもよい(たとえば、Pc_PDCCH_DMRSrefなどの平均Pc_PDCCH_DMRSが、UE115-aによって仮定されてもよいが、実際のPc_PDCCH_DMRSは、何らかの±dB範囲内で変動してもよい)。後述のように、UE115-aは、送信電力比のそのような範囲(たとえば、実際のPc_PDCCH_DMRSのダイナミックレンジ)を特定してもよい。
【００７１】
一例では、ネットワーク(たとえば、基地局105-a)は、CSI-RSおよびPDCCHに使用される送信電力比のダイナミックレンジ(Pc_PDCCH_DMRSのダイナミックレンジ)を明示的にシグナリング、あるいは指示してもよい。場合によっては、ネットワークは、送信電力比(たとえば、平均送信電力比または所定の送信電力比)からの最大正オフセットと送信電力比からの最大負オフセットとを含む場合がある電力マージンを判定し、電力マージンをUE115-aの電力比とともにシグナリングしてもよい。すなわち、ネットワークは、最大正Pc_PDCCH_DMRSオフセットと最大負Pc_PDCCH_DMRSオフセットとを含む電力マージンを判定してもよい。場合によっては、マージンは、最大正オフセット(たとえば、Pc_PDCCH_DMRSrefから+3dB)および最大負オフセット(たとえば、Pc_PDCCH_DMRSrefから-3dB)の両方に適用される1つの値を含んでもよい(たとえば、3dB)。他の場合には、マージンは、2つの値(たとえば、最大正オフセットに適用される値(Pc_PDCCH_DMRSrefから+3dB)および最大負オフセットに適用される第2の値(Pc_PDCCH_DMRSrefから-6dB)を含んでもよい。図示のように、電力マージンが指示されたときには、(たとえば、UE115-aが指示された電力マージンをPc_PDCCH_DMRSrefなどの何らかのPc_PDCCH_DMRS値に適用してPc_PDCCH_DMRSのダイナミックレンジを決定し得るときに)UE115-aが実際のPc_PDCCH_DMRSのダイナミックレンジを決定できるようにPc_PDCCH_DMRSrefも指示されてもよい。
【００７２】
追加または代替として、ネットワークは、(たとえば、電力マージンをシグナリングする代わりにまたは電力マージンをシグナリングすることに加えて)最大電力比(たとえば、Pc_PDCCH_DMRSref+最大正オフセット)および最小電力比(たとえば、Pc_PDCCH_DMRSref+最大負オフセット)をUE115-aにシグナリングしてもよい。最大Pc_PDCCH_DMRS値および最小Pc_PDCCH_DMRS値がシグナリングされる場合、UE115-aは、Pc_PDCCH_DMRSrefを使用しないことを選択してもよい。その理由は、Pc_PDCCH_DMRSのダイナミックレンジは、最大および最小Pc_PDCCH_DMRS値によって明示的に指示される場合があるからである。Pc_PDCCH_DMRSrefのそのようなネットワーク設定(たとえば、明示的なシグナリング)は、関連する電力マージン、送信電力比のダイナミックレンジの最大および最小Pc_PDCCH_DMRS値などとともに、上位レイヤシグナリング(たとえば、RRC、MAC CEなど)を介すかまたは下位レイヤシグナリング(たとえば、ダウンリンク制御情報(DCI)など)を介して伝達されてもよい。さらに、そのような情報は、CSI-RSリソースごとの情報、CSI-RSリソースセットごとの情報、CSI-RSリソース設定ごとの情報などであってもよい。
【００７３】
第2の例では、送信電力比のダイナミックレンジがあらかじめ決定され(たとえば、ルックアップテーブルを介してUE115-aによって特定され)てもよい。そのような場合、電力マージン、平均電力比、最大電力比、最小電力比などは、CSI-RSの設定(たとえば、CSI-RS使用設定、測定設定など)に依存してもよい。たとえば、表2.1、表2.2、および表2.3は、ネットワークによって設定されるルックアップテーブルまたは値を示すことがある。UE115-aには、そのような情報が事前設定されてもよい。以下の表において、「ケースA」および「ケースB」は、CSI-RSのそれぞれに異なる設定を指すことがある。この設定は、擬似コロケーション(QCL)情報、測定設定、CSI-RSリソースに関連するCSIレポート設定などを含んでもよい。たとえば、ケースAは、QCLタイプAを有するCSI-RSを指すことがあり、ケースBは、QCLタイプBを有するCSI-RSを指すことがある。他の例では、ケースAは、CSI取得についてのCSI-RSを指すことがあり、ケースBは、基準信号受信電力(RSRP)測定などに使用されるCSI-RSを指すことがある。UE115-aは、それぞれに異なる設定に応じて、そのようなCSI-RSリソースを利用し、送信電力情報を暗黙的に導出してもよい。
【００７４】
【表１】
2021503760.tif 000003
【００７５】
表2.1および表2.2は、CSI-RSのそれぞれに異なる設定に関連付けられる場合がある例示的な電力マージンを示す。表2.1は、単一のマージンが最大正オフセットと最大負オフセットの両方に適用されることを示すことがある。たとえば、ケースAの場合、最大正オフセットは3dBであってもよく、最大負オフセットは-3dBであってもよい。したがって、UE115-aは、ケースAのCSI-RS設定に基づいて、電力マージンを使用してPc_PDCCH_DMRSのダイナミックレンジを決定してもよく(たとえば、Pc_PDCCH_DMRSは(Pc_PDCCH_DMRSref+3)dBから(Pc_PDCCH_DMRSref-3)dBまでの範囲であってもよく)、表2.2は、第1のマージンが最大正オフセットに適用され、第2のマージンが最大負オフセットに適用されることを示すことがある。たとえば、ケースAの場合、最大正オフセットは3dBであってもよく、最大負オフセットは-4dBであってもよい。したがって、UE115-aは、ケースAのCSI-RS設定に基づいて、電力マージンを使用してPc_PDCCH_DMRSのダイナミックレンジを決定してもよい(たとえば、Pc_PDCCH_DMRSはPc_PDCCH_DMRSmax=(Pc_PDCCH_DMRSref+3)dBからPc_PDCCH_DMRSmin=(Pc_PDCCH_DMRSref-4)dBまでの範囲であってもよい)。表2.3は、Pc_PDCCH_DMRSのダイナミックレンジの最大および最小Pc_PDCCH_DMRS値が直接指示されるかまたは事前設定される一例を示すことがある。たとえば、ケースAの場合、Pc_PDCCH_DMRSは、+6dB(たとえば、Pc_PDCCH_DMRSmax)から-1dB(たとえば、Pc_PDCCH_DMRSmin)までの範囲になることを直接指示されてもよい。
【００７６】
したがって、ネットワークは、CSI-RSリソースの設定を決定し、関連する電力マージンまたは最大および最小Pc_PDCCH_DMRS値を認識し、CSI-RSリソースの設定の指示を(たとえば、RRCシグナリングを介して)UE115-aにシグナリングしてもよい。UE115-aは、CSI-RSリソースの設定に基づいて、表2.1、表2.2、および/または表2.3に応じて電力マージンならびに/または最大および最小Pc_PDCCH_DMRS値を認識する。これらのエントリおよびCSI-RS設定は、説明のためのものにすぎない。他のオフセット値、それぞれに異なるCSI-RS設定についての最大および最小Pc_PDCCH_DMRS値などは、本開示の範囲から逸脱することなく、ネットワークによって同様に実装または事前設定されてもよい。
【００７７】
第3の例では、電力比のダイナミックレンジは、他のパラメータから暗黙的に導出されてもよい。場合によっては、仮説PDCCH BLERは、CSI-RS測定値を、CSI-RSとデータ送信(たとえば、PDSCH)との間の送信電力比に基づいて算出されるPc_PDCCH_DMRSのダイナミックレンジとともに使用して算出されてもよい。CSI-RSとPDSCHとの間の送信電力比(たとえば、Pc_PDSCH)は、CSI-RS設定に含まれてもよく、それによって、UE115-aは、CSI-RS設定を受信するとき、Pc_PDSCHに基づいてBLERの仮説範囲を暗黙的に導出してもよい。すなわち、Pc_PDCCH_DMRSのダイナミックレンジは、Pc_PDSCHなどの他のパラメータによって決定されてもよい。例として、UE115-aは、Pc_PDSCHとPc_PDCCH_DMRSref(たとえば、平均Pc_PDCCH_DMRS値または所定のPc_PDCCH_DMRS値)の両方の指示を受信してもよい。UE115-aは、受信されたPc_PDSCHとPc_PDCCH_DMRSrefとの間の差に基づいて、オフセット値を決定することが可能であってもよい。たとえば、Pc_PDSCH=10dBおよびPc_PDCCH_DMRSref=7dBである場合、(たとえば、Pc_PDSCH-Pc_PDCCH_DMRSref=3dBであるので)オフセット値は3dBであり、すなわち、Pc_PDCCH_DMRSmax=10dBおよびPc_PDCCH_DMRSmin=4dBである。
【００７８】
したがって、ネットワークは、CSI-RSリソース設定を(たとえば、基地局105-aを介して)UE115-aにシグナリングまたは指示してもよく、この設定は、少なくともPc_PDSCH情報を含んでもよい。ネットワークは、(たとえば、上述のように)Pc_PDSCHおよびPc_PDCCH_DMRS/設定されたSINRしきい値に基づいてPc_PDCCH_DMRSのダイナミックレンジを認識してもよい。UE115-aは、CSI-RS設定を受信し、それに応じてPc_PDCCH_DMRSのダイナミックレンジを決定してもよい。
【００７９】
上述の例は、UE115-aはPc_PDCCH_DMRSのダイナミックレンジを特定することができる方法について説明している。Pc_PDCCH_DMRSのダイナミックレンジをCSI-RS測定値とともに使用して仮説PDCCH BLERの範囲(たとえば、PDCCH BLERの仮説範囲)を決定してもよい。たとえば、PDCCH BLERの仮説範囲は、Pc_PDCCH_DMRSのダイナミックレンジの限界に基づいて決定されてもよい。すなわち、仮説PDCCH BLER上限は、測定されたCSIおよび決定されたPc_PDCCH_DMRSmin値に基づいて決定されてもよく、仮説PDCCH BLER下限は、測定されたCSIおよび決定されたPc_PDCCH_DMRSmax値に基づいて決定されてもよい。場合によっては、PDCCH BLERの仮説範囲の決定は、仮説PDCCH BLER上限および下限の決定などを指すことがある。その場合、UE115-aは、以下に図4を参照しながらさらに説明するように、PDCCH BLERの仮説範囲をしきい値と比較して、ビームに障害が生じたか否かを判定または特定してもよい。
【００８０】
場合によっては、ビーム障害を特定または検出したときには、ビーム回復手順を開始してもよく、その手順では、スケジューリング要求(SR)、ランダムアクセスチャネル(RACH)リソース、物理アップリンク制御チャネル(PUCCH)リソースなどを使用してビーム障害の指示が送信されてもよい。場合によっては、基地局105-aは、ビームのセットのうちの1つのビームに障害が生じたことの指示を送信してもよく、UE115-aは、ビームのうちの1つに関連する受信された基準信号に基づくことなどによって、ビームのセットのうちのどのビームに障害が生じたかの指示を与えてもよい。他の場合には、UE115-aは、ビーム障害を示すビーム障害レポートを基地局105-aに送信してもよい。
【００８１】
図3は、本開示の様々な態様による、送信電力比のダイナミックレンジに基づいてビーム障害を判定することをサポートするプロセスフロー300の一例を示す。いくつかの例において、プロセスフロー300では、ワイヤレス通信システム100および/またはワイヤレス通信システム200の態様を実装してもよい。プロセスフロー300は、図1および図2を参照しながら説明した対応するデバイスの一例であってもよい基地局105-bおよびUE115-bを含む。UE115-bおよび基地局105-bは、たとえば、指向性のビームを使用して通信することがあり、mmWスペクトルを使用して動作することがある。場合によっては、UE115-bおよび基地局105-bは、mmWスペクトル以外のスペクトル(たとえば、6GHzよりも低い周波数(サブ6GHz)を有するスペクトル)において動作してもよい。プロセスフロー300は、UE115-bと基地局105-bとの間の通信に関連するビーム障害を特定することの態様を示す。さらに、図示のステップの順序は、説明のためのものにすぎない。各ステップは交換可能であってもよく、各ステップは、本開示の範囲から逸脱することなくプロセスフロー300に追加されるかまたはプロセスフロー300から削除されてもよい。
【００８２】
305において、基地局105-bは、UE115-bへのダウンリンク制御チャネルの第1の基準信号と第2の基準信号との間の送信電力比のダイナミックレンジを特定してもよい。本例では、基地局105-bは、CSI-RSとPDCCHのDMRSとの送信電力比のダイナミックレンジ(たとえば、Pc_PDCCH_DMRSのダイナミックレンジ)を特定してもよい。
【００８３】
310において、基地局105-bは、送信電力比のダイナミックレンジ(たとえば、Pc_PDCCH_DMRSのダイナミックレンジ)を示してもよい。上述のように、そのような指示はいくつかの形をとってもよい。たとえば、この指示は、送信電力比のダイナミックレンジに関連する最大値(たとえば、Pc_PDCCH_DMRSmax)および/または送信電力比のダイナミックレンジに関連する最小値(たとえば、Pc_PDCCH_DMRSmin)の明示的な指示であってもよい。他の場合には、この指示は、送信電力比のダイナミックレンジに関連する最大正オフセットと、送信電力比のダイナミックレンジに関連する最大負オフセットの両方を表すオフセットの明示的な指示であってもよい。他の場合には、この指示は、送信電力比のダイナミックレンジに関連する最大正オフセットと、送信電力比のダイナミックレンジに関連する最大負オフセット(たとえば、Pc_PDCCH_DMRSに関連する最大正オフセットと最大負オフセットの両方)についての2つの個々のオフセットの明示的な指示であってもよい。この指示は、上位レイヤシグナリング(たとえば、RRC、MAC CEなど)を介すかまたは下位レイヤシグナリング(たとえば、DCIなど)を介して伝達されてもよい。さらに、そのようなPc_PDCCH_DMRS情報は、CSI-RSリソースごとの情報、CSI-RSリソースセットごとの情報、CSI-RSリソース設定ごとの情報などであってもよい。
【００８４】
315において、UE115-bは、310において受信された指示に基づいて送信電力比またはPc_PDCCH_DMRSのダイナミックレンジを決定してもよい。たとえば、指示が、最大および最小送信電力比(たとえば、Pc_PDCCH_DMRSmaxおよびPc_PDCCH_DMRSmin)を含む場合、UE115-bは、Pc_PDCCH_DMRSのダイナミックレンジをPc_PDCCH_DMRSminからPc_PDCCH_DMRSminまでと直接決定してもよい。他の例では、指示がオフセット情報を含む場合、UE115-bは、オフセット情報を平均Pc_PDCCH_DMRS値または所定のPc_PDCCH_DMRS値(たとえば、Pc_PDCCH_DMRSref)に適用して範囲を決定してもよい。すなわち、指示が最大正オフセットと最大負オフセットとを含む場合、UE115-bは、Pc_PDCCH_DMRSのダイナミックレンジをPc_PDCCH_DMRSmin=Pc_PDCCH_DMRSref-最大負オフセットからPc_PDCCH_DMRSmax=Pc_PDCCH_DMRSref+最大正オフセットまでと決定してもよい。
【００８５】
他の場合には、Pc_PDCCH_DMRSのダイナミックレンジは暗黙的に導出されてもよい。たとえば、そのような場合、310における指示は、CSI-RSの設定(たとえば、CSI-RS自体にすぎなくてもよい)の指示を指すことがある。そのような場合、UE115-bは、(たとえば、図2を参照しながら上記でより詳しく説明したように)設定の指示からPc_PDCCH_DMRS情報(たとえば、Pc_PDCCH_DMRSmin値、Pc_PDCCH_DMRSmax値、最大正オフセットおよび最大負オフセットなど)を暗黙的に導出してもよい。場合によっては、CSI-RS設定は、QCL情報、CSI-RSに関する測定量(たとえば、リンク設定)、CSI-RSに関連するCSIレポート設定などを含む。場合によっては、CSI-RSの設定の指示は、RRCシグナリングを介して受信される。
【００８６】
317において、基地局105-bはCSI-RSを送信してもよい。UE115-bは、基地局105-bからCSI-RSを受信してもよい。
【００８７】
320において、UE115-bは、Pc_PDCCH_DMRSの決定されたダイナミックレンジに基づいてPDCCH BLERの仮説範囲を決定してもよい。たとえば、PDCCH BLERの仮説範囲は、Pc_PDCCH_DMRSのダイナミックレンジの限界に基づいて決定されてもよい。すなわち、仮説PDCCH BLER上限は、測定されたCSI(たとえば、実装形態シナリオに応じて317または310において受信される)およびPc_PDCCH_DMRSminに基づいて決定されてもよく、仮説PDCCH BLER下限は、測定されたCSIおよびPc_PDCCH_DMRSmaxに基づいて決定されてもよい。PDCCH BLERの仮説範囲の決定は、仮説PDCCH BLER上限および下限のこのような決定を指すことがある。
【００８８】
325において、UE115-bは、PDCCH BLERの仮説範囲をしきい値と比較し、ビーム障害ステータスを判定し、ビーム障害ステータスレポートを基地局105-bに送信してもよい。ビーム障害ステータスの判定(たとえば、PDCCH BLERの仮説範囲としきい値の比較)については、図4を参照しながら以下でさらに詳しく説明する。
【００８９】
330において、基地局105-bとUE115-bは、ビーム障害ステータスレポートに従って通信してもよい。たとえば、基地局105-bとUE115-bは、(たとえば、325においてビーム障害ステータスレポートにビーム障害が示されていない場合)ビームを介して通信を再開または継続してもよい。追加または代替として、基地局105-bとUE115-bは、(たとえば、325においてビーム障害ステータスレポートにビーム障害が示されている場合)ビーム回復手順を開始してもよい。
【００９０】
図4は、本開示の様々な態様による、送信電力比のダイナミックレンジに基づいてビーム障害を判定することをサポートする流れ図400の一例を示す図である。いくつかの例において、流れ図400では、ワイヤレス通信システム100および/またはワイヤレス通信システム200の態様を実装してもよい。流れ図400は、UE115がPc_PDCCH_DMRSのダイナミックレンジを使用してビーム障害を判定する動作を示すことがある。
【００９１】
405において、UE115は、基地局105によって使用可能なCSI-RSとPDCCHのDMRSとの間の送信電力比のダイナミックレンジを特定してもよい。Pc_PDCCH_DMRSのダイナミックレンジは、基地局105がCSI-RSおよびPDCCHのDMRSをUE115に送信するために使用することがある送信電力レベルの範囲を指す場合がある。送信電力比のダイナミックレンジは、基地局105によって指示されるPc_PDCCH_DMRS情報に基づいて特定されてもよい。そのような情報は明示的に指示されてもよく(たとえば、CSI-RSから分離されてもよく)、または場合によっては、(たとえば、CSI-RSの設定に基づいて)UE115によって暗黙的に導出されてもよい。
【００９２】
410において、UE115はCSI-RS測定を実行してもよい。Pc_PDCCH_DMRS情報が暗黙的に導出される場合、405と410は、同時に行われてもよい(たとえば、Pc_PDCCH_DMRS情報がCSI-RS自体から導出されてもよく、またはPc_PDCCH_DMRS情報が別個のステップとして特定されるか、または別個の指示から特定されてもよい)。
【００９３】
415において、UE115は、送信電力比の特定されたダイナミックレンジおよび測定されたCSI-RSに基づいて仮説PDCCH BLERの範囲を決定してもよい。たとえば、送信電力比のダイナミックレンジの最小値および測定されたCSI-RSを使用して最大仮説PDCCH BLER(たとえば、仮説PDCCH BLER上限)を決定してもよい。さらに、送信電力比のダイナミックレンジの最大値および測定されたCSI-RSを使用して最小仮説PDCCH BLER(たとえば、仮説PDCCH BLER下限)を決定してもよい。
【００９４】
420において、UE115は、1つまたは複数の仮説PDCCH BLER値(たとえば、仮説PDCCH BLER上限、仮説PDCCH BLER下限、平均仮説PDCCH BLERなど)をしきい値と比較してビーム障害ステータスを判定してもよい。ビーム障害判定についてしきい値と比較するために使用される仮説PDCCH BLERの範囲内の値は、ビーム障害を検出または特定する可能性に影響を与えることがある。すなわち、仮説PDCCH BLERの範囲内のどの値をしきい値と比較するかに基づいて、UE115は、システム要件、UEの選好などに応じて、ビーム障害をより積極的に報告するかまたはより控えめに報告することがある。以下に、控えめなビーム障害検出技法の一例を示すが、本開示の範囲から逸脱することなく、(たとえば、仮説PDCCH BLERの範囲内の他の値をビーム障害トリガしきい値と比較することによって)他の(たとえば、積極的なまたはより控えめではない)技法が同様に実装されてもよい。
【００９５】
たとえば、425-aにおいて、最大仮説PDCCH BLER(たとえば、仮説PDCCH BLER上限)が、ビーム障害をトリガする何らかのしきい値BLERよりも小さいと、UE115が判定した場合、ビーム障害は報告されない場合がある。このようなことが控えめなビーム障害検出技法の例である場合があり、この場合、UE115は、ワーストケースシナリオBLERをビーム障害トリガしきい値と比較することがある。ワーストケースシナリオBLERがビーム障害をトリガする何らかのしきい値よりもずっと小さい場合、UE115は、ビーム障害なしのビーム障害ステータスを報告することがある(たとえば、ビームはワーストケースシナリオの下では適切である)。
【００９６】
425-bにおいて、UE115は、最小仮説PDCCH BLER(たとえば、仮説PDCCH BLER下限)が、ビーム障害をトリガする何らかのしきい値BLERよりも大きいと、UE115が判定した場合、ビーム障害が報告される場合がある。このようなことが控えめなビーム障害検出技法の例である場合があり、この場合、UE115は、ベストケースシナリオBLERをビーム障害トリガしきい値と比較することがある。ベストケースシナリオBLERがビーム障害をトリガする何らかのしきい値よりもずっと大きい場合、UE115は、ビーム障害を示すビーム障害ステータスを報告することがある(たとえば、ビームはベストケースシナリオの下では適切ではない)。
【００９７】
425-cにおいて、最小仮説PDCCH BLERが、ビーム障害トリガしきい値よりも小さいと、UE115が判定し、しかもビーム障害トリガしきい値が最大仮説PDCCH BLERよりもずっと小さい場合、UE115は(たとえば、前の測定値を使用して)仮説PDCCH BLERの平均下限/上限を算出してもよい。次いで、仮説PDCCH BLERの平均下限/上限を使用してビーム障害を判定してもよい。たとえば、仮説PDCCH BLERの平均上限がビーム障害トリガしきい値よりも小さい場合、ビーム障害は報告されない場合があるが、仮説PDCCH BLERの平均下限がしきい値よりも大きい場合、ビーム障害が報告されることがある。仮説PDCCH BLERの平均上限がしきい値よりも大きいが、仮説PDCCH BLERの平均下限がしきい値よりも小さい場合、UE115-aは、他の値を使用して(たとえば、より多くの値を使用するか、または仮説PDCCH BLERの初期平均上限および平均下限を算出するために使用された値とは異なる値を使用して)平均を再計算してもよい。
【００９８】
図5は、本開示の態様による、送信電力比のダイナミックレンジに基づいてビーム障害を判定することをサポートするワイヤレスデバイス505のブロック図500を示す。ワイヤレスデバイス505は、本明細書で説明するUE115の態様の一例であってもよい。ワイヤレスデバイス505は、受信機510、UE通信マネージャ515、および送信機520を含んでもよい。ワイヤレスデバイス505はまた、プロセッサを含んでもよい。これらの構成要素の各々は、(たとえば、1つまたは複数のバスを介して)互いに通信していてよい。
【００９９】
受信機510は、パケット、ユーザデータ、または様々な情報チャネル(たとえば、制御チャネル、データチャネル、および送信電力比のダイナミックレンジに基づいてビーム障害を判定することに関する情報など)に関連付けられた制御情報などの情報を受信してもよい。情報はデバイスの他の構成要素に転送されてもよい。受信機510は、図8を参照して記載するトランシーバ835の態様の一例であってもよい。受信機510は、単一のアンテナを利用してもよくまたはアンテナのセットを利用してもよい。
【０１００】
UE通信マネージャ515は、図8を参照しながら説明するUE通信マネージャ815の態様の一例であってもよい。UE通信マネージャ515および/またはその様々な副構成要素のうちの少なくともいくつかは、ハードウェア、プロセッサによって実行されるソフトウェア、ファームウェア、またはそれらの任意の組合せで実装されてもよい。プロセッサによって実行されるソフトウェアで実装される場合、UE通信マネージャ515および/またはその様々な副構成要素のうちの少なくともいくつかの機能は、汎用プロセッサ、デジタル信号プロセッサ(DSP)、特定用途向け集積回路(ASIC)、フィールドプログラマブルゲートアレイ(FPGA)もしくは他のプログラマブル論理デバイス、個別ゲートもしくはトランジスタ論理、個別ハードウェア構成要素、または本開示において説明する機能を実行するように設計されたそれらの任意の組合せによって実行されてもよい。UE通信マネージャ515および/またはその様々な副構成要素のうちの少なくともいくつかは、機能の部分が1つまたは複数の物理デバイスによって異なる物理的ロケーションにおいて実装されるように分散されることを含めて、様々な位置に物理的に位置してもよい。いくつかの例では、UE通信マネージャ515および/またはその様々な副構成要素のうちの少なくともいくつかは、本開示の様々な態様による別個のおよび異なる構成要素であってもよい。他の例では、UE通信マネージャ515および/またはその様々な副構成要素のうちの少なくともいくつかは、限定はしないが、I/O構成要素、トランシーバ、ネットワークサーバ、別のコンピューティングデバイス、本開示で説明する1つもしくは複数の他の構成要素、または本開示の様々な態様によるそれらの組合せを含む、1つまたは複数の他のハードウェア構成要素と組み合わせられてもよい。
【０１０１】
UE通信マネージャ515は、基地局105から受信されたダウンリンク制御チャネルの第1の基準信号と第2の基準信号との間の送信電力比のダイナミックレンジを特定し、送信電力比のダイナミックレンジに基づいてビーム障害ステータスを判定し、ビーム障害ステータスに従って基地局105と通信してもよい。
【０１０２】
送信機520は、デバイスの他の構成要素によって生成された信号を送信してもよい。いくつかの例では、送信機520は、トランシーバモジュールにおいて受信機510と併置されてもよい。たとえば、送信機520は、図8を参照しながら説明するトランシーバ835の態様の一例であってもよい。送信機520は、単一のアンテナを利用してもよくまたはアンテナのセットを利用してもよい。
【０１０３】
図6は、本開示の態様による、送信電力比のダイナミックレンジに基づいてビーム障害を判定することをサポートするワイヤレスデバイス605のブロック図600を示す。ワイヤレスデバイス605は、図5を参照しながら説明したワイヤレスデバイス505またはUE115の態様の一例であってもよい。ワイヤレスデバイス605は、受信機610、UE通信マネージャ615、および送信機620を含んでもよい。ワイヤレスデバイス605はまた、プロセッサを含んでもよい。これらの構成要素の各々は、(たとえば、1つまたは複数のバスを介して)互いに通信していてよい。
【０１０４】
受信機610は、パケット、ユーザデータ、または様々な情報チャネル(たとえば、制御チャネル、データチャネル、および送信電力比のダイナミックレンジに基づいてビーム障害を判定することに関する情報など)に関連付けられた制御情報などの情報を受信してもよい。情報はデバイスの他の構成要素に転送されてもよい。受信機610は、図8を参照して記載するトランシーバ835の態様の一例であってもよい。受信機610は、単一のアンテナまたはアンテナのセットを利用してもよい。
【０１０５】
UE通信マネージャ615は、図8を参照しながら説明するUE通信マネージャ815の態様の一例であってもよい。UE通信マネージャ615は、Pc_PDCCHマネージャ625(たとえば、送信電力比マネージャまたはPc_PDCCH_DMRSマネージャ)とビーム障害マネージャ630とを含んでもよい。
【０１０６】
Pc_PDCCHマネージャ625は、基地局105から受信されたダウンリンク制御チャネルの第1の基準信号と第2の基準信号との間の送信電力比のダイナミックレンジを特定し、仮説PDCCH BLER上限および仮説PDCCH BLER下限を決定してもよい。場合によっては、第1の基準信号はCSI-RSであり、第2の基準信号はPDCCHのDMRSである。Pc_PDCCHマネージャ625は、仮説PDCCH BLER上限、仮説PDCCH BLER下限、またはその両方に基づいてビーム障害ステータスを判定してもよい。Pc_PDCCHマネージャ625は、最大正オフセット、最大負オフセット、および平均送信電力比に基づいて(CSI-RSとPDSCHとの間の送信電力比に基づいて)送信電力比のダイナミックレンジを決定してもよい。場合によっては、送信電力比のダイナミックレンジを特定することは、送信電力比のダイナミックレンジの指示を基地局105から受信することを含む。場合によっては、この指示は、送信電力比のダイナミックレンジに関連する最大値と、送信電力比のダイナミックレンジに関連する最小値とを含む。場合によっては、この指示は、送信電力比のダイナミックレンジに関連する最大正オフセットと、送信電力比のダイナミックレンジに関連する最大負オフセットとを含む。場合によっては、この指示は、送信電力比のダイナミックレンジに関連する最大正オフセットと、送信電力比のダイナミックレンジに関連する最大負オフセットの両方を表すオフセット値を含む。場合によっては、指示は、RRC、MAC CE、またはDCIのうちの少なくとも1つを介して受信される。場合によっては、送信電力比のダイナミックレンジを特定することは、CSI-RSの設定に基づいてダイナミックレンジに関連するオフセットを特定することをさらに含む。場合によっては、送信電力比のダイナミックレンジを特定することは、CSI-RSの設定に基づいてダイナミックレンジに関連する最大正オフセットおよび最大負オフセットを特定することをさらに含む。場合によっては、送信電力比のダイナミックレンジを特定することは、CSI-RSの設定に基づいて最大CSI-RS対DMRS電力比および最小CSI-RS対DMRS電力比を特定することをさらに含む。場合によっては、送信電力比のダイナミックレンジを特定することは、基地局105から受信されたCSI-RSとPUSCHとの間の電力比の指示を受信することを含む。場合によっては、送信電力比のダイナミックレンジは、CSI-RSリソースごと、CSI-RSリソースセットごと、またはCSI-RSリソース設定ごとに特定される。場合によっては、送信電力比のダイナミックレンジを特定することは、CSI-RSの設定に基づいて、送信電力比のダイナミックレンジに関連する最大値、および送信電力比のダイナミックレンジに関連する最小値を特定することをさらに含む。
【０１０７】
ビーム障害マネージャ630は、仮説PDCCH BLER上限、仮説PDCCH BLER下限、CSI-RS測定値、またはそれらの何らかの組合せに基づいてビーム障害ステータスを判定してもよい。ビーム障害マネージャ630は、送信電力比のダイナミックレンジに基づいてビーム障害ステータスを判定し、場合によっては、判定されたビーム障害ステータスに基づいて、ビーム障害が生じたと判定してもよい。ビーム障害マネージャ630は、ビーム障害ステータスに従って基地局105と通信してもよい。
【０１０８】
送信機620は、デバイスの他の構成要素によって生成された信号を送信してもよい。いくつかの例では、送信機620は、トランシーバモジュールにおいて受信機610と併置されてもよい。たとえば、送信機620は、図8を参照しながら説明するトランシーバ835の態様の一例であってもよい。送信機620は、単一のアンテナまたはアンテナのセットを利用してもよい。
【０１０９】
図7は、本開示の態様による、送信電力比のダイナミックレンジに基づいてビーム障害を判定することをサポートするUE通信マネージャ715のブロック図700を示す。UE通信マネージャ715は、図5、図6、および図8を参照しながら説明する、UE通信マネージャ515、UE通信マネージャ615、またはUE通信マネージャ815の態様の一例であってもよい。UE通信マネージャ715は、Pc_PDCCHマネージャ720(たとえば、送信電力比マネージャまたはPc_PDCCH_DMRSマネージャ)と、ビーム障害マネージャ725と、CSI-RSマネージャ730と、ビーム障害レポートマネージャ735と、PDCCH BLERマネージャ740とを含んでもよい。これらのモジュールの各々は、直接または間接的に(たとえば、1つまたは複数のバスを介して)互いに通信してもよい。
【０１１０】
Pc_PDCCHマネージャ720は、基地局105から受信されたダウンリンク制御チャネルの第1の基準信号と第2の基準信号との間の送信電力比のダイナミックレンジを特定し、仮説PDCCH BLER上限および仮説PDCCH BLER下限を決定してもよい。場合によっては、第1の基準信号はCSI-RSであり、第2の基準信号はPDCCHのDMRSである。Pc_PDCCHマネージャ720は、仮説PDCCH BLER上限、仮説PDCCH BLER下限、またはその両方に基づいてビーム障害ステータスを判定してもよい。Pc_PDCCHマネージャ720は、最大正オフセット、最大負オフセット、および平均送信電力比に基づいて(CSI-RSとPDSCHとの間の送信電力比に基づいて)送信電力比のダイナミックレンジを決定してもよい。場合によっては、送信電力比のダイナミックレンジを特定することは、送信電力比のダイナミックレンジの指示を基地局105から受信することを含む。場合によっては、この指示は、送信電力比のダイナミックレンジに関連する最大値と、送信電力比のダイナミックレンジに関連する最小値とを含む。場合によっては、この指示は、送信電力比のダイナミックレンジに関連する最大正オフセットと、送信電力比のダイナミックレンジに関連する最大負オフセットとを含む。場合によっては、この指示は、送信電力比のダイナミックレンジに関連する最大正オフセットと、送信電力比のダイナミックレンジに関連する最大負オフセットの両方を表すオフセット値を含む。場合によっては、指示は、RRC、MAC CE、またはDCIのうちの少なくとも1つを介して受信される。場合によっては、送信電力比のダイナミックレンジを特定することは、CSI-RSの設定に基づいてダイナミックレンジに関連するオフセットを特定することをさらに含む。場合によっては、送信電力比のダイナミックレンジを特定することは、CSI-RSの設定に基づいてダイナミックレンジに関連する最大正オフセットおよび最大負オフセットを特定することをさらに含む。場合によっては、送信電力比のダイナミックレンジを特定することは、CSI-RSの設定に基づいて最大CSI-RS対DMRS電力比および最小CSI-RS対DMRS電力比を特定することをさらに含む。場合によっては、送信電力比のダイナミックレンジを特定することは、基地局105から受信されたCSI-RSとPUSCHとの間の電力比の指示を受信することを含む。場合によっては、送信電力比のダイナミックレンジは、CSI-RSリソースごと、CSI-RSリソースセットごと、またはCSI-RSリソース設定ごとに特定される。場合によっては、送信電力比のダイナミックレンジを特定することは、CSI-RSの設定に基づいて、送信電力比のダイナミックレンジに関連する最大値、および送信電力比のダイナミックレンジに関連する最小値を特定することをさらに含む。
【０１１１】
ビーム障害マネージャ725は、仮説PDCCH BLER上限、仮説PDCCH BLER下限、CSI-RS測定値、またはそれらの何らかの組合せに基づいてビーム障害ステータスを判定してもよい。ビーム障害マネージャ725は、送信電力比のダイナミックレンジに基づいてビーム障害ステータスを判定し、場合によっては、判定されたビーム障害ステータスに基づいて、ビーム障害が生じたと判定してもよい。ビーム障害マネージャ725は、ビーム障害ステータスに従って基地局105と通信してもよい。
【０１１２】
CSI-RSマネージャ730は、CSI-RSの設定の指示に基づいて送信電力比のダイナミックレンジを決定し、CSI-RS測定を実行してもよい。場合によっては、送信電力比のダイナミックレンジを特定することは、CSI-RSの設定の指示を受信することを含む。場合によっては、この設定は、QCL情報、CSI-RSに関する測定量(たとえば、リンク設定)、CSI-RSに関連するCSIレポート設定などを含む。場合によっては、CSI-RSの設定の指示は、RRCシグナリングを介して受信される。
【０１１３】
ビーム障害レポートマネージャ735は、ビーム障害レポートを基地局105に送信してもよい。
【０１１４】
PDCCH BLERマネージャ740は、ダイナミックレンジに基づいて仮説PDCCH BLER上限および仮説PDCCH BLER下限を決定してもよい。
【０１１５】
図8は、本開示の態様による、送信電力比のダイナミックレンジに基づいてビーム障害を判定することをサポートするデバイス805を含むシステム800のブロック図である。デバイス805は、たとえば、図5および図6を参照しながら上記で説明したワイヤレスデバイス505、ワイヤレスデバイス605、またはUE115の一例であるか、またはそれの構成要素を含んでもよい。デバイス805は、UE通信マネージャ815と、プロセッサ820と、メモリ825と、ソフトウェア830と、トランシーバ835と、アンテナ840と、入出力コントローラ845とを含む、通信を送信および受信するための構成要素を含む双方向音声およびデータ通信のための構成要素を含んでもよい。これらの構成要素は、1つまたは複数のバス(たとえば、バス810)を介して電子的に通信中であってもよい。デバイス805は、1つまたは複数の基地局105とワイヤレスに通信してもよい。
【０１１６】
プロセッサ820は、インテリジェントハードウェアデバイス(たとえば、汎用プロセッサ、DSP、中央処理装置(CPU)、マイクロコントローラ、ASIC、FPGA、プログラマブル論理デバイス、個別ゲートもしくはトランジスタ論理構成要素、個別ハードウェア構成要素、またはそれらの任意の組合せ)を含んでもよい。場合によっては、プロセッサ820は、メモリコントローラを使用してメモリアレイを動作させるように構成されてもよい。他の場合には、メモリコントローラは、プロセッサ820の中に統合されてもよい。プロセッサ820は、様々な機能(たとえば、送信電力比のダイナミックレンジに基づいてビーム障害を判定することをサポートする機能またはタスク)を実行するために、メモリ内に記憶されたコンピュータ可読命令を実行するように構成されてもよい。
【０１１７】
メモリ825は、ランダムアクセスメモリ(RAM)および読取り専用メモリ(ROM)を含んでもよい。メモリ825は、実行されたときに、本明細書で説明する様々な機能をプロセッサに実行させる命令を含む、コンピュータ可読、コンピュータ実行可能ソフトウェア830を記憶してもよい。場合によっては、メモリ825は、特に、周辺構成要素または周辺デバイスとの対話などの基本的なハードウェア動作またはソフトウェア動作を制御することがある基本入出力システム(BIOS)を含んでもよい。
【０１１８】
ソフトウェア830は、送信電力比のダイナミックレンジに基づいてビーム障害を判定することをサポートするためのコードを含む、本開示の態様を実装するためのコードを含んでもよい。ソフトウェア830は、システムメモリまたは他のメモリなどの非一時的コンピュータ可読媒体内に記憶されてもよい。場合によっては、ソフトウェア830は、プロセッサによって直接実行可能でない場合があるが、(たとえば、コンパイルされ実行されると)本明細書で説明する機能をコンピュータに実行させてもよい。
【０１１９】
トランシーバ835は、上記で説明したように、1つまたは複数のアンテナ、有線リンク、またはワイヤレスリンクを介して双方向に通信してもよい。たとえば、トランシーバ835はワイヤレストランシーバを表してもよく、別のワイヤレストランシーバと双方向に通信してもよい。トランシーバ835はまた、パケットを変調し、変調されたパケットを送信用のアンテナに提供し、アンテナから受信されたパケットを復調するモデムを含んでもよい。
【０１２０】
場合によっては、ワイヤレスデバイスは、単一のアンテナ840を含んでよい。しかしながら、場合によっては、デバイスは、複数のワイヤレス送信を同時に送信または受信することが可能である場合がある複数のアンテナ840を有してもよい。
【０１２１】
入出力コントローラ845は、デバイス805のための入力および出力信号を管理してもよい。入出力コントローラ845はまた、デバイス805に組み込まれない周辺機器を管理してもよい。場合によっては、入出力コントローラ845は、外部周辺機器への物理接続またはポートを表してもよい。場合によっては、入出力コントローラ845は、iOS(登録商標)、ANDROID(登録商標)、MS-DOS(登録商標)、MS-WINDOWS(登録商標)、OS/2(登録商標)、UNIX(登録商標)、LINUX(登録商標)、または別の知られているオペレーティングシステムなどのオペレーティングシステムを利用してもよい。他の場合には、入出力コントローラ845は、モデム、キーボード、マウス、タッチスクリーン、または同様のデバイスを表すか、またはそれらと対話してもよい。場合によっては、入出力コントローラ845は、プロセッサの一部として実装されてもよい。場合によっては、ユーザは、入出力コントローラ845を介して、または入出力コントローラ845によって制御されるハードウェア構成要素を介してデバイス805と対話してもよい。
【０１２２】
図9は、本開示の態様による、送信電力比のダイナミックレンジに基づいてビーム障害を判定することをサポートするワイヤレスデバイス905のブロック図900を示す。ワイヤレスデバイス905は、本明細書で説明する基地局105の態様の一例であってもよい。ワイヤレスデバイス905は、受信機910と、基地局通信マネージャ915と、送信機920とを含んでもよい。ワイヤレスデバイス905はまた、プロセッサを含んでもよい。これらの構成要素の各々は、(たとえば、1つまたは複数のバスを介して)互いに通信していてよい。
【０１２３】
受信機910は、パケット、ユーザデータ、または様々な情報チャネル(たとえば、制御チャネル、データチャネル、および送信電力比のダイナミックレンジに基づいてビーム障害を判定することに関する情報など)に関連付けられた制御情報などの情報を受信してもよい。情報はデバイスの他の構成要素に転送されてもよい。受信機910は、図12を参照しながら説明するトランシーバ1235の態様の一例であってもよい。受信機910は、単一のアンテナまたはアンテナのセットを利用してもよい。
【０１２４】
基地局通信マネージャ915は、図12を参照しながら説明する基地局通信マネージャ1215の態様の一例であってもよい。
【０１２５】
基地局通信マネージャ915、および/またはその様々な副構成要素のうちの少なくともいくつかは、ハードウェア、プロセッサによって実行されるソフトウェア、ファームウェア、またはそれらの任意の組合せで実装されてもよい。プロセッサによって実行されるソフトウェアで実装される場合、基地局通信マネージャ915および/またはそれの様々な副構成要素のうちの少なくともいくつかの機能は、汎用プロセッサ、DSP、ASIC、FPGAまたは他のプログラマブル論理デバイス、個別ゲートまたはトランジスタ論理、個別ハードウェア構成要素、あるいは本開示で説明される機能を実行するように設計されたそれらの任意の組合せによって実行されてもよい。基地局通信マネージャ915および/またはその様々な副構成要素のうちの少なくともいくつかは、機能の部分が1つまたは複数の物理デバイスによって異なる物理的ロケーションにおいて実装されるように分散されることを含めて、様々な位置に物理的に配置されてもよい。いくつかの例では、基地局通信マネージャ915、および/またはその様々な副構成要素のうちの少なくともいくつかは、本開示の様々な態様による別個の異なる構成要素であってもよい。他の例では、基地局通信マネージャ915、および/またはその様々な副構成要素のうちの少なくともいくつかは、限定はしないが、I/O構成要素、トランシーバ、ネットワークサーバ、別のコンピューティングデバイス、本開示で説明する1つもしくは複数の他の構成要素、または本開示の様々な態様によるそれらの組合せを含む、1つまたは複数の他のハードウェア構成要素と組み合わせられてもよい。
【０１２６】
基地局通信マネージャ915は、UE115へのダウンリンク制御チャネルの第1の基準信号と第2の基準信号との間の送信電力比のダイナミックレンジを特定してもよい。基地局通信マネージャ915は、UE115による送信電力比のダイナミックレンジの特定を容易にする信号をUE115にさらに送信してもよい。基地局通信マネージャ915は、送信電力比のダイナミックレンジに基づいてビーム障害ステータスレポートをさらに受信し、ビーム障害ステータスレポートに従ってUE115と通信してもよい。
【０１２７】
送信機920は、デバイスの他の構成要素によって生成された信号を送信してもよい。いくつかの例では、送信機920は、トランシーバモジュールにおいて受信機910と併置されてもよい。たとえば、送信機920は、図12を参照しながら説明するトランシーバ1235の態様の一例であってもよい。送信機920は、単一のアンテナまたはアンテナのセットを利用してもよい。
【０１２８】
図10は、本開示の態様による、送信電力比のダイナミックレンジに基づいてビーム障害を判定することをサポートするワイヤレスデバイス1005のブロック図1000を示す。ワイヤレスデバイス1005は、図9を参照して説明したような、ワイヤレスデバイス905または基地局105の態様の一例であってもよい。ワイヤレスデバイス1005は、受信機1010、基地局通信マネージャ1015、および送信機1020を含んでよい。ワイヤレスデバイス1005はまた、プロセッサを含んでもよい。これらの構成要素の各々は、(たとえば、1つまたは複数のバスを介して)互いに通信していてよい。
【０１２９】
受信機1010は、パケット、ユーザデータ、または様々な情報チャネル(たとえば、制御チャネル、データチャネル、および送信電力比のダイナミックレンジに基づいてビーム障害を判定することに関する情報など)に関連付けられた制御情報などの情報を受信してもよい。情報はデバイスの他の構成要素に転送されてもよい。受信機1010は、図12を参照しながら説明するトランシーバ1235の態様の一例であってもよい。受信機1010は、単一のアンテナまたはアンテナのセットを使用してもよい。
【０１３０】
基地局通信マネージャ1015は、図12を参照しながら説明する基地局通信マネージャ1215の態様の一例であってもよい。
【０１３１】
基地局通信マネージャ1015は、Pc_PDCCHマネージャ1025(たとえば、送信電力比マネージャまたはPc_PDCCH_DMRSマネージャ)とビーム障害マネージャ1030とを含んでもよい。
【０１３２】
Pc_PDCCHマネージャ1025は、UE115へのダウンリンク制御チャネルの第1の基準信号と第2の基準信号との間の送信電力比のダイナミックレンジを特定してもよい。Pc_PDCCHマネージャ1025は、UE115による送信電力比のダイナミックレンジの特定を容易にする信号をUE115にさらに送信してもよい。場合によっては、第1の基準信号はCSI-RSであり、第2の基準信号はPDCCHのDMRSである。場合によっては、この信号は、送信電力比のダイナミックレンジの指示を含む。場合によっては、この指示は、送信電力比のダイナミックレンジに関連する最大値と、送信電力比のダイナミックレンジに関連する最小値とを含む。場合によっては、この指示は、送信電力比のダイナミックレンジに関連する最大正オフセットと、送信電力比のダイナミックレンジに関連する最大負オフセットとを含む。場合によっては、この指示は、送信電力比のダイナミックレンジに関連する最大正オフセットと、送信電力比のダイナミックレンジに関連する最大負オフセットの両方を表すオフセット値を含む。場合によっては、送信電力比のダイナミックレンジは、最大正オフセット、最大負オフセット、および平均送信電力比に基づいて決定される。場合によっては、指示は、RRC、MAC CE、またはDCIのうちの少なくとも1つを介して送信される。場合によっては、送信電力比のダイナミックレンジは、CSI-RSリソースごと、CSI-RSリソースセットごと、またはCSI-RSリソース設定ごとに特定される。
【０１３３】
ビーム障害マネージャ1030は、送信電力比のダイナミックレンジに基づいてビーム障害ステータスレポートを受信し、ビーム障害ステータスレポートに従ってUE115と通信してもよい。
【０１３４】
送信機1020は、デバイスの他の構成要素によって生成された信号を送信してもよい。いくつかの例では、送信機1020は、トランシーバモジュールにおいて受信機1010と併置されてもよい。たとえば、送信機1020は、図12を参照しながら説明するトランシーバ1235の態様の一例であってもよい。送信機1020は、単一のアンテナまたはアンテナのセットを利用してもよい。
【０１３５】
図11は、本開示の態様による、送信電力比のダイナミックレンジに基づいてビーム障害を判定することをサポートする基地局通信マネージャ1115のブロック図1100を示す。基地局通信マネージャ1115は、図9、図10、および図12を参照しながら説明する、基地局通信マネージャ1215の態様の一例であってもよい。基地局通信マネージャ1115は、Pc_PDCCHマネージャ1120(たとえば、送信電力比マネージャまたはPc_PDCCH_DMRSマネージャ)と、ビーム障害マネージャ1125と、CSI-RSマネージャ1130と、PDCCH BLERマネージャ1135とを含んでもよい。これらのモジュールの各々は、直接または間接的に(たとえば、1つまたは複数のバスを介して)互いに通信してもよい。
【０１３６】
Pc_PDCCHマネージャ1120は、UE115へのダウンリンク制御チャネルの第1の基準信号と第2の基準信号との間の送信電力比のダイナミックレンジを特定してもよい。Pc_PDCCHマネージャ1120は、UE115による送信電力比のダイナミックレンジの特定を容易にする信号をUE115にさらに送信してもよい。場合によっては、第1の基準信号はCSI-RSであり、第2の基準信号はPDCCHのDMRSである。場合によっては、この信号は、送信電力比のダイナミックレンジの指示を含む。場合によっては、この指示は、送信電力比のダイナミックレンジに関連する最大値と、送信電力比のダイナミックレンジに関連する最小値とを含む。場合によっては、この指示は、送信電力比のダイナミックレンジに関連する最大正オフセットと、送信電力比のダイナミックレンジに関連する最大負オフセットとを含む。場合によっては、この指示は、送信電力比のダイナミックレンジに関連する最大正オフセットと、送信電力比のダイナミックレンジに関連する最大負オフセットの両方を表すオフセット値を含む。場合によっては、送信電力比のダイナミックレンジは、最大正オフセット、最大負オフセット、および平均送信電力比に基づいて決定される。場合によっては、指示は、RRC、MAC CE、またはDCIのうちの少なくとも1つを介して送信される。場合によっては、送信電力比のダイナミックレンジは、CSI-RSリソースごと、CSI-RSリソースセットごと、またはCSI-RSリソース設定ごとに特定される。
【０１３７】
ビーム障害マネージャ1125は、送信電力比のダイナミックレンジに基づいてビーム障害ステータスレポートを受信し、ビーム障害ステータスレポートに従ってUE115と通信してもよい。
【０１３８】
CSI-RSマネージャ1130は、CSI-RSの設定の指示を送信してもよく、この設定は、送信電力比のダイナミックレンジを指示する。CSI-RSマネージャ1130は、基地局105から受信されたCSI-RSとPDSCHとの間の電力比の指示を送信してもよく、この場合、送信電力比のダイナミックレンジは、CSI-RSとPDSCHとの間の電力比に基づく。場合によっては、設定の指示は、ダイナミックレンジに関連するオフセット、ダイナミックレンジに関連する最大正オフセット、ダイナミックレンジに関連する最大負オフセット、最大CSI-RS対DMRS電力比、および最小CSI-RS対DMRS電力比のうちの少なくとも1つを示す。場合によっては、この設定は、QCL情報、CSI-RSに関する測定量(たとえば、リンク設定)、CSI-RSに関連するCSIレポート設定などを含んでよい。場合によっては、CSI-RSの設定の指示は、RRCシグナリングを介して受信される。
【０１３９】
PDCCH BLERマネージャ1135は、ビーム障害ステータスレポートが仮説PDCCH BLER上限、仮説PDCCH BLER下限、またはその両方に基づくことを特定してもよく、この場合、仮説PDCCH BLER上限および仮説PDCCH BLER下限が、送信電力比のダイナミックレンジから導出される。PDCCH BLERマネージャ1135はさらに、受信されたビーム障害ステータスレポートに基づいて、ビーム障害が生じたと判定してもよい。
【０１４０】
図12は、本開示の態様による、送信電力比のダイナミックレンジに基づいてビーム障害を判定することをサポートするデバイス1205を含むシステム1200の図である。デバイス1205は、たとえば、図1を参照しながら上記で説明したような基地局105の構成要素の一例であってもよく、またはそれらを含んでもよい。デバイス1205は、基地局通信マネージャ1215と、プロセッサ1220と、メモリ1225と、ソフトウェア1230と、トランシーバ1235と、アンテナ1240と、ネットワーク通信マネージャ1245と、局間通信マネージャ1250とを含む、通信を送信および受信するための構成要素を含む、双方向音声およびデータ通信のための構成要素を含んでもよい。これらの構成要素は、1つまたは複数のバス(たとえば、バス1210)を介して電子的に通信中であってもよい。デバイス1205は、1つまたは複数のUE115とワイヤレス通信してもよい。
【０１４１】
プロセッサ1220は、インテリジェントハードウェアデバイス(たとえば、汎用プロセッサ、DSP、CPU、マイクロコントローラ、ASIC、FPGA、プログラマブル論理デバイス、個別ゲートまたはトランジスタ論理構成要素、個別ハードウェア構成要素、あるいはそれらの任意の組合せ)を含んでもよい。ある場合には、プロセッサ1220は、メモリコントローラを使用してメモリアレイを動作させるように構成されてもよい。他の場合には、メモリコントローラはプロセッサ1220に組み込まれてもよい。プロセッサ1220は、様々な機能(たとえば、送信電力比のダイナミックレンジに基づいてビーム障害を判定することをサポートする機能またはタスク)を実行するために、メモリ内に記憶されたコンピュータ可読命令を実行するように構成されてもよい。
【０１４２】
メモリ1225は、RAMおよびROMを含んでもよい。メモリ1225は、実行されたとき、本明細書で説明される様々な機能をプロセッサに実行させる命令を含むコンピュータ可読、コンピュータ実行可能ソフトウェア1230を記憶してもよい。場合によっては、メモリ1225は、特に、周辺構成要素または周辺デバイスとの相互作用など、基本的なハードウェア動作またはソフトウェア動作を制御することがあるBIOSを含んでもよい。
【０１４３】
ソフトウェア1230は、送信電力比のダイナミックレンジに基づいてビーム障害を判定することをサポートするためのコードを含む、本開示の態様を実装するためのコードを含んでもよい。ソフトウェア1230は、システムメモリまたは他のメモリなどの非一時的コンピュータ可読媒体内に記憶されてもよい。場合によっては、ソフトウェア1230は、プロセッサによって直接実行可能でない場合があるが、(たとえば、コンパイルされ実行されると)本明細書で説明する機能をコンピュータに実行させてもよい。
【０１４４】
トランシーバ1235は、上記で説明したように、1つまたは複数のアンテナ、有線リンク、またはワイヤレスリンクを介して双方向に通信してもよい。たとえば、トランシーバ1235はワイヤレストランシーバを表すことがあり、別のワイヤレストランシーバと双方向に通信することがある。トランシーバ1235はまた、パケットを変調し、変調されたパケットを送信のためのアンテナに提供し、アンテナから受信されたパケットを復調するモデムを含んでもよい。
【０１４５】
場合によっては、ワイヤレスデバイスは、単一のアンテナ1240を含んでもよい。しかしながら、ある場合には、デバイスは、複数のワイヤレス送信を同時に送信または受信することが可能である場合がある2つ以上のアンテナ1240を有してもよい。
【０１４６】
ネットワーク通信マネージャ1245は、(たとえば、1つまたは複数のワイヤードバックホールリンクを介して)コアネットワークとの通信を管理してもよい。たとえば、ネットワーク通信マネージャ1245は、1つまたは複数のUE115など、クライアントデバイスのためのデータ通信の転送を管理してもよい。
【０１４７】
局間通信マネージャ1250は、他の基地局105との通信を管理してもよく、他の基地局105と協働してUE115との通信を制御するためのコントローラまたはスケジューラを含んでもよい。たとえば、局間通信マネージャ1250は、ビームフォーミングまたはジョイント送信などの様々な干渉軽減技法のために、UE115への送信に対するスケジューリングを協調させてもよい。いくつかの例では、局間通信マネージャ1250は、基地局105間の通信を行うために、ロングタームエボリューション(LTE)/LTE-Aワイヤレス通信ネットワーク技術内のX2インターフェースを提供してもよい。
【０１４８】
図13は、本開示の態様による、送信電力比のダイナミックレンジに基づいてビーム障害を判定するための方法1300を示すフローチャートを示す。方法1300の動作は、本明細書で説明するUE115またはその構成要素によって実装されてもよい。たとえば、方法1300の動作は、図5〜図8を参照しながら説明したように、UE通信マネージャによって実行されてもよい。いくつかの例では、UE115は、以下で説明される機能を実行するようにデバイスの機能要素を制御するためのコードのセットを実行してもよい。追加または代替として、UE115は、専用ハードウェアを使用して、以下で説明される機能の態様を実行してもよい。
【０１４９】
1305において、UE115は、基地局105から受信されたダウンリンク制御チャネルの第1の基準信号と第2の基準信号との間の送信電力比のダイナミックレンジを特定してもよい。1305の動作は、本明細書で説明する方法に従って実行されてもよい。いくつかの例では、1305の動作の態様は、図5〜図8を参照しながら説明したようなPc_PDCCHマネージャによって実行されてもよい。
【０１５０】
1310において、UE115は、送信電力比のダイナミックレンジに少なくとも部分的に基づいてビーム障害ステータスを判定してもよい。1310の動作は、本明細書で説明する方法に従って実行されてもよい。いくつかの例では、1310の動作の態様は、図5〜図8を参照しながら説明したビーム障害マネージャによって実行されてもよい。
【０１５１】
1315において、UE115は、ビーム障害ステータスに従って基地局105と通信してもよい。1315の動作は、本明細書で説明する方法に従って実行されてもよい。いくつかの例では、ブロック1315の動作の態様は、図5〜図8を参照しながら説明したビーム障害マネージャによって実行されてもよい。
【０１５２】
図14は、本開示の態様による、送信電力比のダイナミックレンジに基づいてビーム障害を判定するための方法1400を示すフローチャートを示す。方法1400の動作は、本明細書で説明するUE115またはその構成要素によって実装されてもよい。たとえば、方法1400の動作は、図5〜図8を参照しながら説明したように、UE通信マネージャによって実行されてもよい。いくつかの例では、UE115は、以下で説明される機能を実行するようにデバイスの機能要素を制御するためのコードのセットを実行してもよい。追加または代替として、UE115は、専用ハードウェアを使用して、以下で説明する機能の態様を実行してもよい。
【０１５３】
1405において、UE115は、基地局105から受信されたダウンリンク制御チャネルの第1の基準信号と第2の基準信号との間の送信電力比のダイナミックレンジを特定してもよい。場合によっては、第1の基準信号はCSI-RSであり、第2の基準信号はPDCCHのDMRSである。1405の動作は、本明細書で説明する方法に従って実行されてもよい。いくつかの例では、1405の動作の態様は、図5〜図8を参照しながら説明したようなPc_PDCCHマネージャによって実行されてもよい。
【０１５４】
1410において、UE115は、送信電力比のダイナミックレンジに少なくとも部分的に基づいてビーム障害ステータスを判定してもよい。1410の動作は、本明細書で説明する方法に従って実行されてもよい。いくつかの例では、1410の動作の態様は、図5〜図8を参照しながら説明したビーム障害マネージャによって実行されてもよい。
【０１５５】
1415において、UE115は、判定されたビーム障害ステータスに少なくとも部分的に基づいて、ビーム障害が生じたと判定してもよい。1415の動作は、本明細書で説明する方法に従って実行されてもよい。いくつかの例では、ブロック1415の動作の態様は、図5〜図8を参照しながら説明したビーム障害マネージャによって実行されてもよい。
【０１５６】
1420において、UE115は、ビーム障害レポートを基地局105に送信してもよい。1420の動作は、本明細書で説明する方法に従って実行されてもよい。いくつかの例では、1420の動作の態様は、図5〜図8を参照しながら説明したビーム障害レポートマネージャによって実行されてもよい。
【０１５７】
図15は、本開示の態様による、送信電力比のダイナミックレンジに基づいてビーム障害を判定するための方法1500を示すフローチャートを示す。方法1500の動作は、本明細書で説明するUE115またはその構成要素によって実装されてもよい。たとえば、方法1500の動作は、図5〜図8を参照しながら説明したように、UE通信マネージャによって実行されてもよい。いくつかの例では、UE115は、以下で説明する機能を実行するようにデバイスの機能要素を制御するためのコードのセットを実行してもよい。追加または代替として、UE115は、専用ハードウェアを使用して、以下で説明する機能の態様を実行してもよい。
【０１５８】
1505において、UE115は、基地局105から受信されたダウンリンク制御チャネルの第1の基準信号と第2の基準信号との間の送信電力比のダイナミックレンジを特定してもよい。1505の動作は、本明細書で説明する方法に従って実行されてもよい。いくつかの例では、1505の動作の態様は、図5〜図8を参照しながら説明したようなPc_PDCCHマネージャによって実行されてもよい。
【０１５９】
1510において、UE115はCSI-RS測定を実行してもよい。1510の動作は、本明細書で説明する方法に従って実行されてもよい。いくつかの例では、1510の動作の態様は、図5〜図8を参照しながら説明したようなCSIマネージャによって実行されてもよい。
【０１６０】
1515において、UE115は、ダイナミックレンジおよびCSI-RS測定値に少なくとも部分的に基づいて仮説PDCCH BLER上限および仮説PDCCH BLER下限を決定してもよい。1515の動作は、本明細書で説明する方法に従って実行されてもよい。いくつかの例では、1515の動作の態様は、図5〜図8を参照しながら説明したようなPDCCH BLERマネージャによって実行されてもよい。
【０１６１】
1520において、UE115は、仮説PDCCH BLER上限、仮説PDCCH BLER下限、またはその両方に少なくとも部分的に基づいてビーム障害ステータスを判定してもよい。1520の動作は、本明細書で説明する方法に従って実行されてもよい。いくつかの例では、1520の動作の態様は、図5〜図8を参照しながら説明したようなPc_PDCCHマネージャによって実行されてもよい。
【０１６２】
1525において、UE115は、ビーム障害ステータスに従って基地局105と通信してもよい。1525の動作は、本明細書で説明する方法に従って実行されてもよい。いくつかの例では、1525の動作の態様は、図5〜図8を参照しながら説明したビーム障害マネージャによって実行されてもよい。
【０１６３】
図16は、本開示の態様による、送信電力比のダイナミックレンジに基づいてビーム障害を判定するための方法1600を示すフローチャートを示す。方法1600の動作は、本明細書に記載された基地局105またはその構成要素によって実装されてもよい。たとえば、方法1600の動作は、図9〜図12を参照しながら説明したように、基地局通信マネージャによって実行されてもよい。いくつかの例では、基地局105は、以下で説明する機能を実行するようにデバイスの機能要素を制御するためのコードのセットを実行してもよい。追加または代替として、基地局105は、専用ハードウェアを使用して、以下で説明される機能の態様を実行してもよい。
【０１６４】
1605において、基地局105は、UE115へのダウンリンク制御チャネルの第1の基準信号と第2の基準信号との間の送信電力比のダイナミックレンジを特定してもよい。1605の動作は、本明細書で説明する方法に従って実行されてもよい。いくつかの例では、1605の動作の態様は、図9〜図12を参照しながら説明したようなPc_PDCCHマネージャによって実行されてもよい。
【０１６５】
1610において、基地局105は、UE115による送信電力比のダイナミックレンジの特定を容易にする信号をUE115に送信してもよい。1610の動作は、本明細書で説明する方法に従って実行されてもよい。いくつかの例では、1610の動作の態様は、図9〜図12を参照しながら説明したようなPc_PDCCHマネージャによって実行されてもよい。
【０１６６】
1615において、基地局105は、送信電力比のダイナミックレンジに少なくとも部分的に基づいてビーム障害ステータスを受信してもよい。1615の動作は、本明細書で説明する方法に従って実行されてもよい。いくつかの例では、ブロック1615の動作の態様は、図9〜図12を参照しながら説明したようなビーム障害マネージャによって実行されてもよい。
【０１６７】
1620において、基地局105は、ビーム障害ステータスレポートに従ってUE115と通信してもよい。1620の動作は、本明細書で説明する方法に従って実行されてもよい。いくつかの例では、1620の動作の態様は、図9〜図12を参照しながら説明したようなビーム障害マネージャによって実行されてもよい。
【０１６８】
上述の方法が可能な実装形態について説明したものであり、各動作およびステップを構成し直すかまたはさもなければ修正してもよく、他の実装形態が可能であることに留意されたい。さらに、方法のうちの2つ以上からの態様が組み合わされてもよい。
【０１６９】
本明細書で説明する技法は、符号分割多元接続(CDMA)システム、時分割多元接続(TDMA)システム、周波数分割多元接続(FDMA)システム、直交周波数分割多元接続(OFDMA)システム、シングルキャリア周波数分割多元接続(SC-FDMA)システム、および他のシステムなど、様々なワイヤレス通信システムのために使用されてもよい。CDMAシステムは、CDMA2000、ユニバーサル地上波無線アクセス(UTRA)などの無線技術を実装してもよい。CDMA2000は、IS-2000、IS-95およびIS-856規格を対象とする。IS-2000のリリースは、通常、CDMA2000 1X、1Xなどと呼ばれることがある。IS-856(TIA-856)は、一般に、CDMA2000 1xEV-DO、高速パケットデータ(HRPD)などと呼ばれる。UTRAは、広帯域CDMA(WCDMA(登録商標))と、CDMAの他の変形態とを含む。TDMAシステムは、モバイル通信用グローバルシステム(GSM)などの無線技術を実装してもよい。
【０１７０】
OFDMAシステムは、Ultra Mobile Broadband(UMB)、Evolved UTRA(E-UTRA)、米国電気電子技術者協会(IEEE)802.11(Wi-Fi)、IEEE 802.16(WiMAX)、IEEE 802.20、Flash-OFDMなどの無線技術を実装してもよい。UTRAおよびE-UTRAは、ユニバーサルモバイルテレコミュニケーションシステム(UMTS)の一部である。LTEおよびLTE-Aは、E-UTRAを使用するUMTSのリリースである。UTRA、E-UTRA、UMTS、LTE、LTE-A、NR、およびGSMは、「第3世代パートナーシッププロジェクト」(3GPP)という名称の団体からの文書の中に記載されている。CDMA2000およびUMBは、「第3世代パートナーシッププロジェクト2」(3GPP2: 3rd Generation Partnership Project 2)と称する団体からの文書に記載されている。本明細書で説明した技法は、上述のシステムおよび無線技術、ならびに他のシステムおよび無線技術に使用されてもよい。LTEまたはNRシステムの態様について例として説明することがあり、説明の大部分においてLTEまたはNR用語が使用されることがあるが、本明細書で説明した技法はLTEまたはNR適用例以外に適用可能である。
【０１７１】
マクロセルは、一般に、比較的大きい地理的エリア(たとえば、半径数キロメートル)をカバーし、ネットワークプロバイダのサービスに加入しているUE115による無制限アクセスを可能にしてもよい。スモールセルは、マクロセルと比較して低電力の基地局105と関連付けられることがあり、スモールセルは、マクロセルと同じまたはマクロセルとは異なる(たとえば、免許、免許不要など)周波数帯域において動作することがある。スモールセルは、様々な例によれば、ピコセル、フェムトセル、およびマイクロセルを含んでもよい。ピコセルは、たとえば、小さい地理的エリアをカバーしてもよく、ネットワークプロバイダのサービスに加入しているUE115による無制限アクセスを可能にしてもよい。フェムトセルはまた、小さい地理的エリア(たとえば、自宅)をカバーしてもよく、フェムトセルとの関連付けを有するUE115(たとえば、限定加入者グループ(CSG)内のUE115、自宅内のユーザのためのUE115など)による制限付きアクセスを可能にしてもよい。マクロセルのためのeNBは、マクロeNBと呼ばれることがある。スモールセルのためのeNBは、スモールセルeNB、ピコeNB、フェムトeNB、またはホームeNBと呼ばれることがある。eNBは、1つまたは複数(たとえば、2つ、3つ、4つなど)のセルをサポートしてもよく、また、1つまたは複数のコンポーネントキャリアを使用する通信をサポートしてもよい。
【０１７２】
本明細書で説明される1つまたは複数のワイヤレス通信システム100は、同期動作または非同期動作をサポートしてもよい。同期動作の場合、基地局105は、同様のフレームタイミングを有することがあり、異なる基地局105からの送信は、時間的にほぼ揃えられることがある。非同期動作の場合、基地局105は、異なるフレームタイミングを有することがあり、異なる基地局105からの送信は、時間的に揃えられないことがある。本明細書で説明した技法は、同期動作または非同期動作のいずれに使用されてもよい。
【０１７３】
本明細書で説明した情報および信号は、多種多様な技術および技法のいずれを使用して表されてもよい。たとえば、上記の説明全体にわたって言及されることがあるデータ、命令、コマンド、情報、信号、ビット、シンボルおよびチップは、電圧、電流、電磁波、磁場もしくは磁性粒子、光場または光学粒子、またはそれらの任意の組合せによって表されてもよい。
【０１７４】
本明細書の本開示に関して説明した様々な例示的なブロックおよびモジュールは、汎用プロセッサ、デジタル信号プロセッサ(DSP)、特定用途向け集積回路(ASIC)、フィールドプログラマブルゲートアレイ(FPGA)もしくは他のプログラマブル論理デバイス(PLD)、個別ゲートもしくはトランジスタ論理、個別ハードウェア構成要素、または本明細書で説明する機能を実行するように設計されたそれらの任意の組合せを用いて実装または実行されてもよい。汎用プロセッサはマイクロプロセッサであってよいが、代替として、プロセッサは、任意の従来のプロセッサ、コントローラ、マイクロコントローラ、または状態機械であってもよい。プロセッサはまた、コンピューティングデバイスの組合せ(たとえば、DSPとマイクロプロセッサの組合せ、複数のマイクロプロセッサ、DSPコアと連携する1つもしくは複数のマイクロプロセッサ、または任意の他のそのような構成)として実装されてもよい。
【０１７５】
本明細書で説明される機能は、ハードウェア、プロセッサによって実行されるソフトウェア、ファームウェア、またはそれらの任意の組合せで実装されてもよい。プロセッサによって実行されるソフトウェアで実装される場合、機能は、1つまたは複数の命令またはコードとして、コンピュータ可読媒体上に記憶されるか、またはコンピュータ可読媒体を介して送信されてもよい。他の例および実装形態は、本開示および添付の特許請求の範囲内に入る。たとえば、ソフトウェアの性質に起因して、上で説明された機能は、プロセッサ、ハードウェア、ファームウェア、ハードワイヤリング、またはこれらのうちのいずれかの組合せによって実行されるソフトウェアを使用して実装されてもよい。機能を実装する特徴はまた、機能の部分が異なる物理的位置に実装されるように分散されることを含めて、様々な場所に物理的に配置されてもよい。
【０１７６】
コンピュータ可読媒体は、ある場所から別の場所へのコンピュータプログラムの移送を容易にする任意の媒体を含む、非一時的コンピュータ記憶媒体と通信媒体の両方を含む。非一時的記憶媒体は、汎用コンピュータまたは専用コンピュータによってアクセスされることがある任意の利用可能な媒体であってもよい。限定ではなく例として、非一時的コンピュータ可読媒体は、RAM、ROM、電気的消去可能プログラマブル読取り専用メモリ(EEPROM)、フラッシュメモリ、コンパクトディスク(CD)ROMまたは他の光ディスクストレージ、磁気ディスクストレージまたは他の磁気ストレージデバイス、あるいは、命令またはデータ構造の形態の所望のプログラムコード手段を担持または記憶するために使用され、汎用コンピュータもしくは専用コンピュータまたは汎用プロセッサもしくは専用プロセッサによってアクセスされることがある任意の他の非一時的媒体を備えてもよい。また、任意の接続がコンピュータ可読媒体と適切に呼ばれる。たとえば、ソフトウェアが、同軸ケーブル、光ファイバーケーブル、ツイストペア、デジタル加入者線(DSL)、または赤外線、無線、およびマイクロ波などのワイヤレス技術を使用してウェブサイト、サーバ、または他のリモートソースから送信される場合、同軸ケーブル、光ファイバーケーブル、ツイストペア、DSL、または赤外線、無線、およびマイクロ波などのワイヤレス技術は、媒体の定義に含まれる。本明細書で使用されるディスク(disk)およびディスク(disc)は、CD、レーザーディスク(登録商標)(disc)、光ディスク(disc)、デジタル多用途ディスク(disc)(DVD)、フロッピーディスク(disk)、およびBlue-rayディスク(disc)を含み、ディスク(disk)は、通常、データを磁気的に再生し、ディスク(disc)は、データをレーザーで光学的に再生する。上記のものの組合せも、コンピュータ可読媒体の範囲内に含まれる。
【０１７７】
特許請求の範囲内を含めて本明細書で使用される場合、項目のリスト(たとえば、「のうちの少なくとも1つ」または「のうちの1つまたは複数」などの句で終わる項目のリスト)において使用される「または」は、たとえば、A、B、またはCのうちの少なくとも1つのリストがAまたはBまたはCまたはABまたはACまたはBCまたはABC(すなわち、AおよびBおよびC)を意味するような包括的リストを示す。また、本明細書で使用される、「に基づいて」という句は、条件の閉集合への参照と解釈されないものとする。たとえば、「条件Aに基づいて」として説明した例示的なステップは、本開示の範囲から逸脱することなく、条件Aと条件Bの両方に基づいてもよい。言い換えれば、本明細書で使用される「に基づいて」という句は、「に少なくとも部分的に基づいて」という句と同じように解釈されるべきである。
【０１７８】
添付の図では、同様の構成要素または特徴は同じ参照ラベルを有してもよい。さらに、同じタイプの様々な構成要素は、参照ラベルの後に、ダッシュと、それらの同様の構成要素を区別する第2のラベルとを続けることによって区別されてもよい。第1の参照ラベルのみが本明細書で使用される場合、説明は、第2の参照ラベル、または他の後続の参照ラベルにかかわらず、同じ第1の参照ラベルを有する同様の構成要素のうちのいずれにも適用可能である。
【０１７９】
添付の図面に関して本明細書に記載される説明は、例示的な構成について説明しており、実装されることがあるかまたは特許請求の範囲内に入るすべての例を表すとは限らない。本明細書で使用される「例示的」という用語は、「例、事例、または例示の働きをすること」を意味し、「好ましい」または「他の例よりも有利な」を意味しない。発明を実施するための形態は、説明される技法の理解をもたらすための具体的な詳細を含む。しかしながら、これらの技法は、これらの具体的な詳細なしに実践されてもよい。いくつかの事例では、説明される例の概念を不明瞭にすることを回避するために、よく知られている構造およびデバイスがブロック図の形式で示される。
【０１８０】
本明細書の説明は、当業者が本開示を作成または使用することを可能にするように与えられる。本開示への様々な変更は当業者には容易に明らかとなり、本明細書で定義された一般原理は、本開示の範囲から逸脱することなく他の変形形態に適用されてもよい。したがって、本開示は、本明細書で説明する例および設計に限定されず、本明細書で開示する原理および新規の特徴に合致する最も広い範囲を与えられるべきである。
【符号の説明】
【０１８１】
100  ワイヤレス通信システム
105、105-a、105-b  基地局
110、110-a  地理的カバレージエリア
115、115-a、115-b  UE
125  通信リンク
130  コアネットワーク
200  ワイヤレス通信システム
205、205-a、205-b、205-c  送信ビーム
210、210-a  受信ビーム
300  プロセスフロー
400  流れ図
500  ブロック図
505、605、905、1005  ワイヤレスデバイス
510、610、910、1010  受信機
515、615、715、815  UE通信マネージャ
520、620、920、1020  送信機
600、700、900、1100  ブロック図
625、720、1025、1120  Pc_PDCCHマネージャ
630、725、1030、1125  ビーム障害マネージャ
730、1130  CSI-RSマネージャ
740、1135  PDCCH BLERマネージャ
735  ビーム障害レポートマネージャ
800、1200  システム
805、1205  デバイス
810、1210  バス
820、1220  プロセッサ
825、1225  メモリ
830、1230  ソフトウェア
835、1235  トランシーバ
840、1240  アンテナ
845  入出力コントローラ
915、1015、1115、1215  基地局通信マネージャ
1230  コンピュータ実行可能ソフトウェア
1245  ネットワーク通信マネージャ
1250  局間通信マネージャ
1300、1500、1600  方法
【図１】
2021503760.tif 000004
【図２】
2021503760.tif 000005
【図３】
2021503760.tif 000006
【図４】
2021503760.tif 000007
【図５】
2021503760.tif 000008
【図６】
2021503760.tif 000009
【図７】
2021503760.tif 000010
【図８】
2021503760.tif 000011
【図９】
2021503760.tif 000012
【図１０】
2021503760.tif 000013
【図１１】
2021503760.tif 000014
【図１２】
2021503760.tif 000015
【図１３】
2021503760.tif 000016
【図１４】
2021503760.tif 000017
【図１５】
2021503760.tif 000018
【図１６】
2021503760.tif 000019
【国際調査報告】
2021503760.tif 000020
2021503760.tif 000021